(57)【特許請求の範囲】
【請求項１】
少なくとも患者又は被介護者を含む対象者を支援する支援者に利用される端末装置を備える支援システムであって、
前記端末装置は、前記対象者に関する撮像対象を撮像した撮像画像を受け付け、
前記支援システムは、
前記端末装置が受け付けた前記撮像画像に基づいて、前記患者の看護又は介護に関する情報を特定し、特定した前記患者の看護又は介護に関する情報を、格納装置に格納する処理手段、を備え、
前記端末装置は、第１の日時に前記撮像対象を撮像した第１の撮像画像と、前記第１の日時よりも後の日時である第２の日時に前記撮像対象を撮像した第２の撮像画像を受け付け、
前記処理手段は、
前記端末装置が受け付けた前記第１の撮像画像に基づいて、前記患者の看護又は介護に関する第１の数値情報を特定する第１処理と、
前記端末装置が受け付けた前記第２の撮像画像に基づいて、前記患者の看護又は介護に関する第２の数値情報を特定する第２処理と、
前記第１処理の処理結果及び前記第２処理の処理結果に基づいて、前記第１の数値情報と前記第２の数値情報との差分値を演算し、演算された当該差分値を示す情報を、前記格納装置に格納する第３処理と、を行い、
前記撮像対象は、液体を収容する収容パックを含み、
前記処理手段は、
前記第１処理において、
教師有り機械学習を行うことにより予め生成されている画像認識用モデルを用いて、前記端末装置が受け付けた前記第１の撮像画像の画像認識を行うことにより、前記第１の撮像画像に写っている前記収容パックの種類と当該収容パックに収容されている液体の量を示す前記第１の数値情報とを特定し、
前記第２処理において、
前記画像認識用モデルを用いて、前記端末装置が受け付けた前記第２の撮像画像の画像認識を行うことにより、前記第２の撮像画像に写っている前記収容パックの種類と当該収容パックに収容されている液体の量を示す前記第２の数値情報とを特定し、
前記第３処理において、
前記第１処理で特定した前記収容パックの種類と前記第２処理で特定した前記収容パックの種類が相互に同じ種類である場合に、
前記第２処理にて特定した前記第２の数値情報と、
前記第１処理にて特定した前記第１の数値情報であって、前記第２処理にて特定した前記収容パックの種類と同じ種類の前記収容パックに収容されている液体の量を示す前記第１の数値情報との差分値を演算する、
支援システム。
【請求項２】
少なくとも患者又は被介護者を含む対象者を支援する支援者に利用される端末装置であって、対象者に関する撮像対象を撮像した撮像画像を受け付ける前記端末装置を備える支援システムを、
前記端末装置が受け付けた前記撮像画像に基づいて、前記患者の看護又は介護に関する情報を特定し、特定した前記患者の看護又は介護に関する情報を、格納装置に格納する処理手段、として機能させ、
前記端末装置は、第１の日時に前記撮像対象を撮像した第１の撮像画像と、前記第１の日時よりも後の日時である第２の日時に前記撮像対象を撮像した第２の撮像画像を受け付け、
前記処理手段は、
前記端末装置が受け付けた前記第１の撮像画像に基づいて、前記患者の看護又は介護に関する第１の数値情報を特定する第１処理と、
前記端末装置が受け付けた前記第２の撮像画像に基づいて、前記患者の看護又は介護に関する第２の数値情報を特定する第２処理と、
前記第１処理の処理結果及び前記第２処理の処理結果に基づいて、前記第１の数値情報と前記第２の数値情報との差分値を演算し、演算された当該差分値を示す情報を、前記格納装置に格納する第３処理と、を行い、
前記撮像対象は、液体を収容する収容パックを含み、
前記処理手段は、
前記第１処理において、
教師有り機械学習を行うことにより予め生成されている画像認識用モデルを用いて、前記端末装置が受け付けた前記第１の撮像画像の画像認識を行うことにより、前記第１の撮像画像に写っている前記収容パックの種類と当該収容パックに収容されている液体の量を示す前記第１の数値情報とを特定し、
前記第２処理において、
前記画像認識用モデルを用いて、前記端末装置が受け付けた前記第２の撮像画像の画像認識を行うことにより、前記第２の撮像画像に写っている前記収容パックの種類と当該収容パックに収容されている液体の量を示す前記第２の数値情報とを特定し、
前記第３処理において、
前記第１処理で特定した前記収容パックの種類と前記第２処理で特定した前記収容パックの種類が相互に同じ種類である場合に、
前記第２処理にて特定した前記第２の数値情報と、
前記第１処理にて特定した前記第１の数値情報であって、前記第２処理にて特定した前記収容パックの種類と同じ種類の前記収容パックに収容されている液体の量を示す前記第１の数値情報との差分値を演算する、
支援プログラム。
【発明の詳細な説明】
【技術分野】
【０００１】
本発明は、支援システム及び支援プログラムに関する。
【背景技術】
【０００２】
従来、医療施設又は介護施設等に様々なシステムが導入されていたが、このようなシステムとして、例えば、ナースコールシステムが知られていた（例えば、特許文献１参照）。このナースコールシステムにおいては、患者が看護師等の支援者を緊急時に呼び出すために用いられていた。
【先行技術文献】
【特許文献】
【０００３】
【特許文献１】特開２０１９−４４３１号公報
【発明の概要】
【発明が解決しようとする課題】
【０００４】
ところで、昨今、医療施設又は看護施設等では、医療サービス又は介護サービスを向上させる観点等からサービスに関する情報（例えば、ナースコールシステムで呼び出しに応答した者を特定する情報等）を記録することが要望されている。
【０００５】
しかしながら、例えば、支援者によるサービスに関する情報（例えば、ナースコールシステムで呼び出しに応答した者を特定する情報）については、記録されていない実情があり、改善の余地があった。
【０００６】
本発明は上記問題に鑑みてなされたもので、支援者によるサービスに関する情報を格納することが可能となる支援システム及び支援プログラムを提供することを目的とする。
【課題を解決するための手段】
【０００７】
上述した課題を解決し、目的を達成するために、請求項１に記載の支援システムは、少なくとも患者又は被介護者を含む対象者を支援する支援者に利用される端末装置を備える支援システムであって、前記端末装置は、前記対象者に関する撮像対象を撮像した撮像画像を受け付け、前記支援システムは、前記端末装置が受け付けた前記撮像画像に基づいて、前記患者の看護又は介護に関する情報を特定し、特定した前記患者の看護又は介護に関する情報を、格納装置に格納する処理手段、を備え、前記端末装置は、第１の日時に前記撮像対象を撮像した第１の撮像画像と、前記第１の日時よりも後の日時である第２の日時に前記撮像対象を撮像した第２の撮像画像を受け付け、前記処理手段は、前記端末装置が受け付けた前記第１の撮像画像に基づいて、前記患者の看護又は介護に関する第１の数値情報を特定する第１処理と、前記端末装置が受け付けた前記第２の撮像画像に基づいて、前記患者の看護又は介護に関する第２の数値情報を特定する第２処理と、前記第１処理の処理結果及び前記第２処理の処理結果に基づいて、前記第１の数値情報と前記第２の数値情報との差分値を演算し、演算された当該差分値を示す情報を、前記格納装置に格納する第３処理と、を行い、前記撮像対象は、液体を収容する収容パックを含み、前記処理手段は、前記第１処理において、教師有り機械学習を行うことにより予め生成されている画像認識用モデルを用いて、前記端末装置が受け付けた前記第１の撮像画像の画像認識を行うことにより、前記第１の撮像画像に写っている前記収容パックの種類と当該収容パックに収容されている液体の量を示す前記第１の数値情報とを特定し、前記第２処理において、前記画像認識用モデルを用いて、前記端末装置が受け付けた前記第２の撮像画像の画像認識を行うことにより、前記第２の撮像画像に写っている前記収容パックの種類と当該収容パックに収容されている液体の量を示す前記第２の数値情報とを特定し、前記第３処理において、前記第１処理で特定した前記収容パックの種類と前記第２処理で特定した前記収容パックの種類が相互に同じ種類である場合に、前記第２処理にて特定した前記第２の数値情報と、前記第１処理にて特定した前記第１の数値情報であって、前記第２処理にて特定した前記収容パックの種類と同じ種類の前記収容パックに収容されている液体の量を示す前記第１の数値情報との差分値を演算する。
【００１２】
また、請求項２に記載の支援プログラムは、少なくとも患者又は被介護者を含む対象者を支援する支援者に利用される端末装置であって、対象者に関する撮像対象を撮像した撮像画像を受け付ける前記端末装置を備える支援システムを、前記端末装置が受け付けた前記撮像画像に基づいて、前記患者の看護又は介護に関する情報を特定し、特定した前記患者の看護又は介護に関する情報を、格納装置に格納する処理手段、として機能させ、前記端末装置は、第１の日時に前記撮像対象を撮像した第１の撮像画像と、前記第１の日時よりも後の日時である第２の日時に前記撮像対象を撮像した第２の撮像画像を受け付け、前記処理手段は、前記端末装置が受け付けた前記第１の撮像画像に基づいて、前記患者の看護又は介護に関する第１の数値情報を特定する第１処理と、前記端末装置が受け付けた前記第２の撮像画像に基づいて、前記患者の看護又は介護に関する第２の数値情報を特定する第２処理と、前記第１処理の処理結果及び前記第２処理の処理結果に基づいて、前記第１の数値情報と前記第２の数値情報との差分値を演算し、演算された当該差分値を示す情報を、前記格納装置に格納する第３処理と、を行い、前記撮像対象は、液体を収容する収容パックを含み、前記処理手段は、前記第１処理において、教師有り機械学習を行うことにより予め生成されている画像認識用モデルを用いて、前記端末装置が受け付けた前記第１の撮像画像の画像認識を行うことにより、前記第１の撮像画像に写っている前記収容パックの種類と当該収容パックに収容されている液体の量を示す前記第１の数値情報とを特定し、前記第２処理において、前記画像認識用モデルを用いて、前記端末装置が受け付けた前記第２の撮像画像の画像認識を行うことにより、前記第２の撮像画像に写っている前記収容パックの種類と当該収容パックに収容されている液体の量を示す前記第２の数値情報とを特定し、前記第３処理において、前記第１処理で特定した前記収容パックの種類と前記第２処理で特定した前記収容パックの種類が相互に同じ種類である場合に、前記第２処理にて特定した前記第２の数値情報と、前記第１処理にて特定した前記第１の数値情報であって、前記第２処理にて特定した前記収容パックの種類と同じ種類の前記収容パックに収容されている液体の量を示す前記第１の数値情報との差分値を演算する。
【発明の効果】
【００１３】
請求項１に記載の支援システム、及び請求項２に記載の支援プログラムによれば、端末装置が受け付けた撮像画像に基づいて、患者の看護又は介護に関する情報を特定し、特定した患者の看護又は介護に関する情報を格納することにより、例えば、使い勝手の良い形式で情報を格納することが可能となる。
【図面の簡単な説明】
【００１４】
【図１】本実施の形態に係る医療システムのブロック図である。
【図２】サーバ装置のブロック図である。
【図３】端末装置のブロック図である。
【図４】ユーザ情報を例示した図である。
【図５】患者情報を例示した図である。
【図６】グループ情報を例示した図である。
【図７】サーバ側スタンプ情報を例示した図である。
【図８】サーバ側看護履歴スタンプ情報を例示した図である。
【図９】サーバ側看護履歴画像情報を例示した図である。
【図１０】サーバ側看護履歴コール情報を例示した図である。
【図１１】子機患者対応情報を例示した図である。
【図１２】端末側看護履歴スタンプ情報を例示した図である。
【図１３】端末側看護履歴画像情報を例示した図である。
【図１４】端末側看護履歴コール情報を例示した図である。
【図１５】カルテ側看護履歴情報を例示した図である。
【図１６】情報同期処理のフローチャートである。
【図１７】情報表示処理のフローチャートである。
【図１８】選択画面の表示例である。
【図１９】表示入力画面の表示例である。
【図２０】表示入力画面の表示例である。
【図２１】スタンプ情報格納処のフローチャートである。
【図２２】表示入力画面の表示例である。
【図２３】表示入力画面の表示例である。
【図２４】画像情報格納処理のフローチャートである。
【図２５】表示入力画面の表示例である。
【図２６】確認画面の表示例である。
【図２７】コール情報格納処理のフローチャートである。
【図２８】電子カルテ側情報格納処理のフローチャートである
【図２９】表示入力画面の表示例である。
【発明を実施するための形態】
【００１５】
以下に、本発明に係る支援システム及び支援プログラムの実施の形態を図面に基づいて詳細に説明する。なお、この実施の形態によりこの発明が限定されるものではない。
【００１６】
〔実施の形態の基本的概念〕
まずは、実施の形態の基本的概念について説明する。実施の形態は、概略的に、支援システムに関するものである。
【００１７】
ここで、「支援システム」とは、看護又は介護に関する情報を格納するためのシステムであり、具体的には、病院又は介護施設等に適用されるシステムであり、例えば、看護又は介護に関する情報を格納するための専用システムとして構成されたシステム、又は、汎用のシステム（例えば、コンピュータ等）に看護又は介護に関する情報を格納するための機能を実装することにより構成されたシステム等を含む概念である。
【００１８】
この「支援システム」は、例えば、端末装置を備え、任意でサーバ装置を備える。なお、「サーバ装置」とは、端末装置との間で通信可能となっている装置等を含む概念である
【００１９】
また、「端末装置」とは、少なくとも患者又は被介護者を含む対象者を支援する支援者に利用される装置であり、例えば、スマートフォン、タブレット端末、携帯電話、及びパーソナルコンピュータ等を含む概念である。
【００２０】
なお、「対象者」とは、支援される対象となる人であり、患者又は（高齢者等の）被介護者等を含む概念である。「支援者」とは、対象者を支援する者であり、例えば、医師、薬剤師、看護師等の医療従事者、あるいは、介護士等の介護を担当する者等を含む概念である
【００２１】
また、「端末装置」とは、例えば、少なくとも対象者側のナースコール装置からの呼び出しを受け付ける装置等を含む概念であり、また、ナースコール装置からの呼び出しを受け付けて応答した場合に、応答特定情報をサーバ装置に送信する装置等を含む概念である。
【００２２】
なお、「応答特定情報」とは、例えば、ナースコール装置からの呼び出しに応答したことを示情報であって、少なくとも呼び出しに応答した端末装置を利用している支援者を特定する情報が含まれている情報等を含む概念である。
【００２３】
また、「端末装置」とは、例えば、内容特定画像及び数値情報を受け付ける装置等を含む概念であり、また、情報を表示する表示手段を備え、ナースコール装置からの呼び出しに対する応答、及び内容特定画像及び数値情報の受付を順次行った場合、ナースコール装置からの呼び出しに対する応答を行ったことを示す画像、及び受け付けた内容特定画像及び数値情報を示す画像を、ナースコール装置からの呼び出しに対して応答した時間、及び内容特定画像及び数値情報を受け付けた時間に対応する順序で、表示手段に表示する装置等を含む概念であり、また、撮像画像を受け付ける装置等を含む概念である。
【００２４】
なお、「内容特定画像」とは、予め生成されている画像であって対象者の看護又は介護に関する内容を特定する画像であり、例えば、対象者に関連する画像であって支援者によって入力される画像等を含む概念である。「内容特定画像」とは、例えば、対象者を看護又は介護を行う場合に記録するべき項目をイメージさせるイラスト画像等を含む概念であり、一例としては、体温測定を示す体温計の画像、血圧測定を示す血圧計の画像、腹痛が生じたことを示す人が腹部をおさえている画像等を含む概念である。なお、「対象者を看護又は介護を行う場合に記録するべき項目」とは、例えば、看護又は介護に関する任意の方針又は基準等に基づいて定められている項目、あるいは、病院又は介護施設単位で定められている項目、あるいは、医師からのオーダーにより定められている項目等を含む概念であり、一例としては、体温測定の結果、血圧測定の結果、大便回数の計数結果、小便回数の計数結果、食事量、腹痛の発生、尿量測定の結果、点滴量測定の結果等を含む概念である。
【００２５】
また、「数値情報」とは、内容特定画像が特定する対象者の看護又は介護に関する内容に関連する数値を特定する情報であって支援者によって内容特定画像と共に入力される数値情報等を含む概念である。「数値情報」とは、例えば、対象者を看護又は介護を行う場合に記録するべき項目に関連する数値を特定する情報等を含む概念であり、一例としては、体温測定の結果が３６．６度であった場合の「３６．６」を特定する情報、血圧測定の結果が９０ｍｍＨＧ及び１４５ｍｍＨＧであった場合の「９０」及び「１４５」を示す情報、及び生じた腹痛が３段階の評価で最小だったことを示す「１」を示す情報等を含む概念である。なお、ここでの３段階の評価の基準は任意であるが、例えば、「１」が最も弱い痛み（例えば、痛みはあるものの食事及び会話には支障がない程度の痛み等）であり、「３」が最も強い痛み（例えば、食事及び会話に支障がある程度の痛み等）であり、「２」が「１」及び「３」の間程度の痛み（例えば、会話には支障がないものの食事には支障がある程度の痛み等）である等の基準を採用してもよい。
【００２６】
また、「撮像画像」とは、対象者に関する撮像対象を撮像した画像等を含む概念であり、例えば、端末装置に設けられているカメラ等を用いて撮像された画像等を含む概念である。「撮像対象」とは、対象者に関連する物又は部位等を含む概念であり、例えば、対象者が利用している採尿パック、点滴パック、あるいは、対象者の身体の部位（一例としては、褥瘡が発生した部位等）等を含む概念である。
【００２７】
また、「支援システム」は、第１処理手段を備え、任意で、第２処理手段、第３処理手段、及び支援システム側格納手段を備える。なお、この第１〜第３処理手段については、端末装置に設けてもよいし、あるいは、サーバ装置に設けてもよいが、以下の実施の形態では、サーバ装置に設ける場合について説明する。
【００２８】
また、「第１処理手段」とは、端末装置がナースコール装置からの呼び出しを受け付けて応答した場合に、少なくとも応答した端末装置を利用している支援者を特定する情報を、格納装置に格納する手段であり、例えば、端末装置がナースコール装置からの呼び出しを受け付けて応答した場合に、当該ナースコール装置からの呼び出しの内容を特定する情報を、格納装置に格納する手段等を含む概念であり、また、端末装置がナースコール装置からの呼び出しを受け付けて応答した場合に、端末装置がナースコール装置からの呼び出しに応答した時間を特定する情報を、格納装置に格納する手段等を含む概念である。また、「第１処理手段」とは、例えば、当該第１処理手段がサーバ装置に設けられている場合において、端末装置から送信された応答特定情報をサーバ装置が受信した場合に、受信した応答特定情報に含まれる支援者を特定する情報を、端末装置を利用している支援者を特定する情報として格納装置に格納する手段等を含む概念である。
【００２９】
また、「格納装置」とは、各種情報を格納する装置であり、具体的には、１つのみの装置、あるいは、複数の装置等を含む概念であり、例えば、電子カルテシステムの格納装置（つまり、電子カルテシステムのデータベース）、あるいは、当該格納装置以外の任意の格納装置（一例としては、支援システムのサーバ装置の記録部（データベース）、支援システムの端末装置の記録部（データベース）、支援システム又は電子カルテシステム以外のデータベース）等を含む概念である。
【００３０】
また、「第２処理手段」とは、例えば、支援システム側格納手段に格納されている第１関連情報に基づいて、端末装置が受け付けた内容特定画像に対応する文字情報を特定し、特定した文字情報と、端末装置が受け付けた数値情報が特定する数値に対応する情報を、格納装置に格納する手段等を含む概念であり、また、支援システム側格納手段に格納されている第２関連情報に基づいて、端末装置が受け付けた内容特定画像に対応する数値意味情報を特定し、特定した数値意味情報が特定する意味に対応する形式で数値情報が特定する数値に対応する情報を、格納装置に格納する手段等を含む概念である。
【００３１】
また、「第１関連情報」とは、内容特定画像と文字情報とが相互に関連付けられている情報である。「文字情報」とは、内容特定画像が特定する内容を示す文字又は文字列の情報であり、例えば、テキスト情報等を含む概念である。また、「第２関連情報」とは、内容特定画像と数値意味情報とが相互に関連付けられている情報である。「数値意味情報」とは、内容特定画像と共に入力される数値情報の意味を特定する情報であり、例えば、数値の単位（一例としては、「度」又は「％」等）、及び数値が示す程度（一例としては、前述の痛みの程度等）等を特定する情報等含む概念である。
【００３２】
また、「数値意味情報が特定する意味に対応する形式で、数値情報が特定する数値に対応する情報を格納する」とは、例えば、数値意味情報が数値の単位を示している場合において、数値情報が特定する数値と単位とを相互に対応付けた情報を格納すること、及び数値意味情報が数値の程度を示している場合において、数値情報が特定する当該数値に対応する程度を示す情報を格納すること等を含む概念である。そして、例えば、ここでの、「数値情報が特定する数値と単位とを相互に対応付けた情報」及び「数値情報が特定する当該数値に対応する程度を示す情報」、あるいは、「数値情報」自体が、「数値情報が特定する数値に対応する情報」に対応する。
【００３３】
また、「第３処理手段」とは、端末装置が受け付けた撮像画像に基づいて、患者の看護又は介護に関する情報を特定し、特定した患者の看護又は介護に関する情報を、格納装置に格納する手段である。なお、「患者の看護又は介護に関する情報」とは、例えば、対象者を看護又は介護を行う場合に記録するべき項目に関連する情報であって、撮像画像から認識可能な情報であり、一例としては尿量測定の結果、点滴量測定の結果、及びこれらの各量の演算結果（例えば、直近に測定された量に対する差分を演算した演算結果等）等を示す情報等を含む概念である。
【００３４】
また、「支援システム側格納手段」とは、第１関情報を格納する手段であり、また、任意で第２関連情報も格納する手段である。
【００３５】
そして、以下に示す実施の形態では、「支援システム」を病院に適用する場合において、「対象者」が患者であり、また、「支援者」が医師、薬剤師、看護師等の医療従事者である場合について説明する。
【００３６】
［実施の形態の具体的内容］
次に、実施の形態の具体的内容について説明する。
【００３７】
（構成）
まず、本実施の形態に係る医療システムの構成について説明する。図１は、本実施の形態に係る医療システムのブロック図であり、また、図２は、サーバ装置のブロック図であり、また、図３は、端末装置のブロック図である。なお、図１において、端末装置３については、実際には多数設けられているが、ここでは、説明の便宜上、３個のみ代表して図示して説明する（なお、子機２０１、２０２も同様とする）。なお、この３個の端末装置３０１〜３０３については、相互に区別する必要がない場合は、端末装置３と総称して説明する。また、子機２０１、２０２についても、相互に区別する必要がない場合は、子機２と総称して説明する。
【００３８】
（構成−医療システム）
図１の医療システム１００は、病院に設けられるシステムであり、例えば、サーバ装置１、ナースコール制御装置２００、子機２、端末装置３、及び電子カルテシステム４を備えている。なお、サーバ装置１及び端末装置３が、「支援システム」に対応する。また、ナースコール制御装置２００及び電子カルテシステム４については、公知の装置又はシステム等の技術を用いて構成することができるので、これらについては概要のみ説明する。
【００３９】
この医療システム１００の各装置については、有線又は無線にて通信（通話も含む）可能に接続されており、例えば、子機２とナースコール制御装置２００とが相互に有線通信可能となっており、また、ナースコール制御装置２００と端末装置３とが相互に無線通信可能となっており、また、端末装置３とサーバ装置１とが相互に無線通信可能となっており、また、サーバ装置１と電子カルテシステム４とが相互に有線通信可能となっている。
【００４０】
（構成−医療システム−サーバ装置）
サーバ装置１は、図２に示すように、例えば、通信部１１、入力部１２、記録部１３、及び制御部１４を備えている。
【００４１】
（構成−医療システム−サーバ装置−通信部）
通信部１１は、外部装置（例えば、端末装置３及び電子カルテシステム４等）との間で通信するための通信手段である。この通信部１１の具体的な種類や構成は任意であるが、例えば、公知の通信回路等を用いて構成することができる。
【００４２】
（構成−医療システム−サーバ装置−入力部）
入力部１２は、ユーザから各種操作入力を受け付ける操作手段である。この入力部１２の具体的な種類や構成は任意であるが、例えば、キーボード、マウス等の公知の入力装置を用いて構成することができる。
【００４３】
（構成−医療システム−サーバ装置−記録部）
記録部１３は、サーバ装置１の動作に必要なプログラム及び各種のデータを記録する記録手段であり、例えば、外部記録装置としてのハードディスク（図示省略）を用いて構成されている。ただし、ハードディスクに代えてあるいはハードディスクと共に、磁気ディスクの如き磁気的記録媒体、又はＤＶＤやブルーレイディスクの如き光学的記録媒体を含む、その他の任意の記録媒体を用いることができる（他の装置の記録部も同様とする）。
【００４４】
記録部１３は、例えば、スタンプ画像データベース（以下、データベースを「ＤＢ」と称する）１３０、ユーザ情報ＤＢ１３１、患者情報ＤＢ１３２、グループ情報ＤＢ１３３、サーバ側スタンプ情報ＤＢ１３４、サーバ側看護履歴スタンプ情報ＤＢ１３５、サーバ側看護履歴画像情報ＤＢ１３６、サーバ側看護履歴コール情報ＤＢ１３７、及びサーバ側撮像画像ＤＢ１３８を備える。
【００４５】
（構成−医療システム−サーバ装置−記録部−スタンプ画像ＤＢ）
図２のスタンプ画像ＤＢ１３０は、スタンプ画像を格納するスタンプ画像格納手段である。「スタンプ画像」とは、前述の内容特定画像であり、例えば、前述したように、各種のイラスト画像等を含む概念である。そして、このスタンプ画像の具体的な格納手法は任意であるが、例えば、管理者（システム管理者）が、各種画像をメモリステック等の任意の記録媒体を用いて入力し、制御部１４が当該入力された情報を取得して、取得した情報を格納することにより、格納されることとしてもよい。あるいは、画像作成者のパーソナルコンピュータから、サーバ装置１に対して各種画像が送信されることとし、制御部１４が、この送信された画像を通信部１１を介して受信して格納することにより、当該スタンプ画像が格納されることとする。
【００４６】
特に、このスタンプ画像については、制御部１４による自動制御により又は管理者のマニュアル入力によって、スタンプ画像ＤＢ１３０内で唯一となるファイル名が付された状態でスタンプ画像ＤＢ１３０に格納されることとする。このようなファイル名が付されていることにより、当該ファイル名を参照して、スタンプ画像を一意に特定することが可能となる。ここでは、例えば、体温測定を示す「体温計のスタンプ画像」（ファイル名が「Ｆｓ００１」）、血圧測定を示す「血圧計のスタンプ画像」（ファイル名が「Ｆｓ００２」）、大便回数の計測を示す「人が便器に座っているスタンプ画像」（ファイル名が「Ｆｓ００３」）、小便回数の計測を示す「人が小便器の前に立っているスタンプ画像」（ファイル名が「Ｆｓ００４」）、患者が食べた朝食の量を示す「朝食のイメージが描かれているスタンプ画像」（ファイル名が「Ｆｓ００５」）、腹痛が生じたことを示す「人が腹部をおさえている状態を表示するスタンプ画像」（ファイル名が「Ｆｓ００６」）等がスタンプ画像ＤＢ１３０に格納されている場合を例示して説明する。
【００４７】
（構成−医療システム−サーバ装置−記録部−ユーザ情報ＤＢ）
図２のユーザ情報ＤＢ１３１は、ユーザ情報を格納するユーザ情報格納手段である。図４は、ユーザ情報を例示した図である。なお、図４では、一部の情報の具体的な記載が省略されて「・・・」と図示されている（他の図でも省略箇所には「・・・」を適宜図示する）。「ユーザ情報」とは、端末装置３のユーザを特定する情報であり、例えば、支援者である医療従事者を特定する情報である。この「ユーザ情報」は、図４に示すように、例えば、項目「ユーザＩＤ」、項目「職種情報」、及び項目「ユーザ氏名情報」と、各項目に対応する情報とが相互に関連付けられている情報である。項目「ユーザＩＤ」に対応する情報は、ユーザを一意に識別する情報でありユーザ識別情報（以下、識別情報を「ＩＤ」と称する）である（図４では、医療システム１００において唯一となるアルファベットと数字の組み合わせであり、「ＩＤｕ００１」等）。項目「職種情報」に対応する情報は、ユーザの職業の種類を特定する職種情報である（図４では、医師を特定する「医師」、看護師を特定する「看護師」、及び薬剤師を特定する「薬剤師」等）。項目「ユーザ氏名情報」に対応する情報は、ユーザの氏名を特定するユーザ氏名情報である（図４では、便宜上の記載であり「ＡＡＡ１」等）。
【００４８】
そして、このようなユーザ情報の具体的な格納手法は任意であるが、例えば、図１の電子カルテシステム４のユーザ情報ＤＢ４１のユーザ情報が、任意のタイミング（例えば、情報の更新があったタイミング等）で電子カルテシステム４からサーバ装置１に送信され、図２の制御部１４が、この送信されたユーザ情報を通信部１１を介して受信して格納することにより、当該ユーザ情報が格納されることとする。なお、このユーザ情報については、例えば、管理者が、図１の電子カルテシステム４のユーザ情報ＤＢ４１のユーザ情報と同じ情報を、入力部１２を介して入力したり、あるいは、メモリステック等の任意の記録媒体を用いて入力したりし、制御部１４が当該入力された情報を取得して、取得した情報を格納することにより、格納されることとしてもよい。
【００４９】
（構成−医療システム−サーバ装置−記録部−患者情報ＤＢ）
図２の患者情報ＤＢ１３２は、患者情報を格納する患者情報格納手段である。図５は、患者情報を例示した図である。「患者情報」とは、医療システム１００が設けられている病院に入院している患者を特定する情報であり、つまり、対象者を特定する情報である。この「患者情報」は、図５に示すように、例えば、項目「患者ＩＤ」、項目「患者氏名情報」、項目「病名情報」、項目「部屋名情報」、及び項目「ベッド情報」と、各項目に対応する情報とが相互に関連付けられている情報である。項目「患者ＩＤ」に対応する情報は、患者を一意に識別する患者ＩＤである（図５では、医療システム１００において唯一となるアルファベットと数字の組み合わせであり、「ＩＤｐ００１」等）。項目「患者氏名情報」に対応する情報は、患者の氏名を特定する患者氏名情報である（図５では、便宜上の記載であり「ＤＤＤ１」等）。項目「病名情報」に対応する情報は、患者の病名を特定する病名情報である（図５では、糖尿病であることを特定する「糖尿病」等）。項目「部屋名情報」に対応する情報は、患者が入院している部屋を特定する部屋名情報である（図５では、７０２号室を特定する「７０２号室」等）。項目「ベッド情報」に対応する情報は、患者に割り当てられているベッドを特定するベッド情報である（図５では、各部屋単位で一意に識別可能なベッドの名称であり「１番」等）。そして、このような患者情報の具体的な格納手法は任意であるが、例えば、前述のユーザ情報と同様にして格納される。
【００５０】
（構成−医療システム−サーバ装置−記録部−グループ情報ＤＢ）
図２のグループ情報ＤＢ１３３は、グループ情報を格納するグループ情報格納手段である。図６は、グループ情報を例示した図である。「グループ情報」とは、患者単位でユーザである医療従事者を分類したグループを示す情報であり、例えば、各患者を担当する医療従事者のグループを示す情報である。この「グループ情報」は、図６に示すように、例えば、項目「患者ＩＤ」、項目「ユーザＩＤ」、及び項目「責任者情報」と、各項目に対応する情報とが相互に関連付けられている情報である。なお、項目「患者ＩＤ」、及び項目「ユーザＩＤ」に対応する各情報は、図４及び図５の同一名称の項目の情報と同様である。項目「責任者情報」とは、グループ内での責任者である医師を特定する責任者情報である（図６では、医師のユーザＩＤであり「ＩＤｕ００１」等）。
【００５１】
なお、このような図６のグループ情報については、例えば、「ＩＤｐ００１」に対応するグループに属するユーザが「ＩＤｕ００１」、「ＩＤｕ２０１」、及び「ＩＤｕ２０３」等のユーザであること、及び当該グループの責任者が「ＩＤｕ００１」のユーザであること等が示されている。そして、このようなグループ情報の具体的な格納手法は任意であるが、例えば、管理者が、入力部１２を介して入力したり、あるいは、メモリステック等の任意の記録媒体を用いて入力したりし、制御部１４が当該入力された情報を取得して、取得した情報を格納することにより、格納されることとする。あるいは、電子カルテシステム４に対して、グループ情報が格納されていることとし、任意のタイミング（例えば、情報の更新があったタイミング等）で電子カルテシステム４からサーバ装置１に送信され、図２の制御部１４が、この送信されたユーザ情報を通信部１１を介して受信して格納することにより、当該グループ情報が格納されることとしてもよい。
【００５２】
（構成−医療システム−サーバ装置−記録部−サーバ側スタンプ情報ＤＢ）
図２のサーバ側スタンプ情報ＤＢ１３４は、サーバ側スタンプ情報を格納するサーバ側スタンプ情報格納手段であり、特に、第１関連情報及び第２関連情報を格納する支援システム側格納手段である。図７は、サーバ側スタンプ情報を例示した図である。「サーバ側スタンプ情報」とは、前述の第１関連情報及び第２関連情報である。この「サーバ側スタンプ情報」は、図７に示すように、例えば、項目「スタンプ画像特定情報」、項目「スタンプ文字情報」、及び項目「数値意味情報」と、各項目に対応する情報とが相互に関連付けられている情報である。項目「スタンプ画像特定情報」に対応する情報は、スタンプ画像ＤＢ１３０に格納されているスタンプ画像を一意に特定するためのスタンプ画像特定情報である（図７では、各スタンプ画像のファイル名であり、「Ｆｓ０００１」等）。項目「スタンプ文字情報」に対応する情報は、前述の文字情報であって、スタンプ画像が特定する内容を示す文字又は文字列を示すスタンプ文字情報である（図７では、テキスト情報であり、「体温測定」等）。項目「数値意味情報」に対応する情報は、前述の数値意味情報であって、スタンプ画像と共に入力される数値情報の意味を特定する情報である（図７では、数値の単位である「度」、「ｍｍＨＧ」、「階」、「％」、及び数値が示す程度である「１：弱、２：中、３：強」等）。なお、ここでの「１：弱、２：中、３：強」については、数値「１」が最も弱い程度、数値「３」が最も強い程度、数値「２」が数値「１」の程度と「３」の程度の中間の程度であることを示していることとする。そして、このようなサーバ側スタンプ情報の具体的な格納手法は任意であるが、例えば、管理者が、入力部１２を介して入力したり、あるいは、メモリステック等の任意の記録媒体を用いて入力したりし、制御部１４が当該入力された情報を取得して、取得した情報を格納することにより、格納されることとする。
【００５３】
なお、この図７のサーバ側スタンプ情報におけるスタンプ画像特定情報及びスタンプ文字情報が「第１関連情報」に相当し、また、スタンプ画像特定情報及び数値意味情報が「第２関連情報」に相当する。
【００５４】
（構成−医療システム−サーバ装置−記録部−サーバ側看護履歴スタンプ情報ＤＢ）
図２のサーバ側看護履歴スタンプ情報ＤＢ１３５は、サーバ側看護履歴スタンプ情報を格納するサーバ側看護履歴スタンプ情報格納手段である。図８は、サーバ側看護履歴スタンプ情報を例示した図である。「サーバ側看護履歴スタンプ情報」とは、各患者に対してユーザによって入力されたスタンプ画像及び数値情報等の履歴を特定する情報である。この「サーバ側看護履歴画像情報」は、図８に示すように、例えば、項目「データＩＤ」、項目「患者ＩＤ」、項目「入力スタンプ画像特定情報」、項目「入力数値情報」、項目「スタンプ入力日時情報」、項目「スタンプ記録者情報」、項目「スタンプ既読者情報」、及び項目「スタンプ保存状態情報」と、各項目に対応する情報とが相互に関連付けられている情報である。項目「患者ＩＤ」に対応する情報は、図５の同一名称の項目の情報と同様である。
【００５５】
項目「データＩＤ」に対応する情報は、相互に関連付けられている情報のセットを一意に識別するためのデータＩＤである（図８では、図面の同じ行に図示されている情報のセットを一意に識別するデータＩＤであり、具体的に図示されている情報の内の最上段の情報である「ＩＤｐ００１」、「Ｆｓ００１」、「３６．６」、「０７２４１９００」、「ＩＤｕ２０１」、「ＩＤｕ２０１，ＩＤｕ００１」、「済（０７２５２０００）」」のセットを識別する「ＩＤｄ１０１」等）。項目「入力スタンプ画像特定情報」に対応する情報は、ユーザによって入力されたスタンプ画像を特定する入力スタンプ画像特定情報である（図８では、入力されたスタンプ画像のファイル名であり、「Ｆｓ０００１」等）。項目「入力数値情報」に対応する情報は、ユーザによって入力された数値情報を特定する入力数値情報である（図８では、「３６．６」、及び「９０，１４５」等）。
【００５６】
項目「スタンプ入力日時情報」に対応する情報は、スタンプ画像及び数値情報が入力された日時を特定するスタンプ入力日時情報である（図８では、７月２４日１９時００分を示す「０７２４１９００」等）。項目「スタンプ記録者情報」に対応する情報は、スタンプ画像及び数値情報を入力してサーバ装置１に記録したユーザ（つまり、入力スタンプ画像特定情報及び入力数値情報をサーバ装置１に記録したユーザ）を特定するスタンプ記録者情報である（図８は、前述のユーザＩＤであり、「ＩＤｕ２０１」等）。項目「スタンプ既読者情報」に対応する情報は、各ユーザの内の入力スタンプ画像特定情報及び入力数値情報に対応する画像を自己の端末装置３に表示したユーザを示すスタンプ既読者情報である（図８では、前述のユーザＩＤであり、「ＩＤｕ２０１，ＩＤｕ００１」の２名のユーザ、又は、「ＩＤｕ２０１」の１名のユーザ等）。項目「スタンプ保存状態情報」に対応する情報は、スタンプ画像情報及び数値情報に対応する情報が格納（つまり、保存）されたか否か等を特定するスタンプ保存状態情報であり、詳細には、入力スタンプ画像特定情報及び入力数値情報に対応する情報が図１のカルテ側看護履歴情報ＤＢ４３に格納されたか否か等を特定する情報である（図８では、７月２５日２０時００分に格納されたことを示す「済（０７２５２０００）」、及び格納されていないことを示す「未」等）。そして、このようなサーバ側スタンプ情報の具体的な格納手法は任意であるが、例えば、後述するスタンプ情報格納処理等を実行することにより格納される。
【００５７】
（構成−医療システム−サーバ装置−記録部−サーバ側看護履歴画像情報ＤＢ）
図２のサーバ側看護履歴画像情報ＤＢ１３６は、サーバ側看護履歴画像情報を格納するサーバ側看護履歴画像情報格納手段である。図９は、サーバ側看護履歴画像情報を例示した図である。「サーバ側看護履歴画像情報」とは、各患者に関してユーザによって撮像された画像である撮像画像から特定した患者の看護に関する情報等の履歴を特定する情報である。この「サーバ側看護履歴画像情報」は、図９に示すように、例えば、項目「データＩＤ」、項目「患者ＩＤ」、項目「画像内容情報」、項目「画像入力日時情報」、項目「画像記録者情報」、項目「画像既読者情報」、及び項目「画像保存状態情報」と、各項目に対応する情報とが相互に関連付けられている情報である。項目「データＩＤ」、項目「患者ＩＤ」に対応する情報は、図８の同一名称の項目の情報と同様である。
【００５８】
項目「画像内容情報」に対応する情報は、撮像された画像自体又は撮像された画像に基づいて特定される患者の看護に関する情報を特定する画像内容情報である。この画像内容情報は任意であるが、例えば、図９では、尿量測定の結果が１０ｍｌ（つまり、撮像された採尿パックに貯留されている尿の量が１０ｍｌ）であることを示す「尿量測定，１０」、尿量測定の結果が１５ｍｌであり且つ直近の尿量測定の結果と今回の尿量測定の結果との差分が５ｍｌであることを示す「尿量測定，１５（５）」、点滴量測定の結果が２００ｍｌ（つまり、撮像された点滴パックに貯留されている薬液の量が２００ｍｌ）であることを示す「点滴量測定，２００」、点滴量測定の結果が１５０ｍｌであり且つ直近の点滴量測定の結果と今回の点滴量測定の結果との差分が５０ｍｌであることを示す「点滴量測定，１５０（５０）」、及び端末装置３で撮像された画像のファイル名である「Ｆｇ３０１」等である。
【００５９】
項目「画像入力日時情報」に対応する情報は、画像を撮像して入力した日時を特定する画像入力日時情報である（図９では、図８のスタンプ入力日時情報と同様である）。項目「画像記録者情報」に対応する情報は、画像を入力して当該画像に対応する情報をサーバ装置１に記録したユーザ（つまり、画像内容情報をサーバ装置１に記録したユーザ）を特定する画像記録者情報である（図９では、図８のスタンプ記録者情報と同様である）。項目「画像既読者情報」に対応する情報は、各ユーザの内の画像内容情報に対応する画像を自己の端末装置３に表示したユーザを示す画像既読者情報である（図９では、図８のスタンプ既読者情報と同様である）。項目「画像保存状態情報」に対応する情報は、撮像された画像に対応する情報が格納されたか否か等を特定する情報であり、詳細には、画像内容情報に対応する情報が図１のカルテ側看護履歴情報ＤＢ４３に格納されたか否か等を特定する情報である（図９では、図８のスタンプ保存状態情報と同様である）。そして、このようなサーバ側画像情報の具体的な格納手法は任意であるが、例えば、後述する画像情報格納処理等を実行することにより格納される。
【００６０】
（構成−医療システム−サーバ装置−記録部−サーバ側看護履歴コール情報ＤＢ）
図２のサーバ側看護履歴コール情報ＤＢ１３７は、サーバ側看護履歴コール情報を格納するサーバ側看護履歴コール情報格納手段である。図１０は、サーバ側看護履歴コール情報を例示した図である。「サーバ側看護履歴コール情報」とは、図１の子機２側からの呼び出しであるナースコールに関する履歴を特定する情報である。この「サーバ側看護履歴コール情報」は、図１０に示すように、例えば、項目「データＩＤ」、項目「患者ＩＤ」、項目「コール理由情報」、項目「応答日時情報」、項目「応答者情報」、項目「コール既読者情報」、及び項目「コール保存状態情報」と、各項目に対応する情報とが相互に関連付けられている情報である。項目「データＩＤ」、項目「患者ＩＤ」に対応する情報は、図８の同一名称の項目の情報と同様である。
【００６１】
項目「コール理由情報」に対応する情報は、前述の呼び出しの内容を特定する情報であり、例えば、患者がナースコールを行った理由を特定するコール理由情報である（図１０では、患者がナースコールを行った理由が嘔吐であることを特定する「嘔吐」等）。項目「応答日時情報」に対応する情報は、ナースコールを受け付けて応答した日時を特定する応答日時情報である（図１０では、図８のスタンプ入力日時情報と同様である）。項目「応答者情報」に対応する情報は、ナースコールを受け付けて応答したユーザを特定する応答者情報である（図１０では、図８のスタンプ記録者情報と同様である）。項目「コール既読者情報」に対応する情報は、ナースコールに対応する画像を自己の端末装置３に表示したユーザを示すコール既読者情報である（図１０では、図８のスタンプ既読者情報と同様である）。項目「コール保存状態情報」に対応する情報は、ナースコールに関する情報（例えば、応答者情報を含む情報）が図１のカルテ側看護履歴情報ＤＢ４３に格納されたか否か等を特定する情報である（図１０では、図８のスタンプ保存状態情報と同様である）。そして、このようなサーバ側看護履歴コール情報の具体的な格納手法は任意であるが、例えば、後述するコール情報格納処理等を実行することにより格納される。
【００６２】
（構成−医療システム−サーバ装置−記録部−サーバ側撮像画像ＤＢ）
図２のサーバ側撮像画像ＤＢ１３８は、端末装置３で撮像された画像を格納するのサーバ側撮像画像格納手段である。そして、このようなサーバ側撮像画像ＤＢ１３８の画像の具体的な格納手法は任意であるが、例えば、後述する画像情報格納処理を実行することにより格納される。
【００６３】
（構成−医療システム−サーバ装置−制御部）
図２の制御部１４は、サーバ装置１を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである（他の装置の制御部も同様とする）。特に、実施の形態に係るプログラムは、任意の記録媒体又はネットワークを介してサーバ装置１にインストールされることで、制御部１４の各部を実質的に構成する（他の装置の制御部も同様とする）。
【００６４】
制御部１４は、機能概念的に、例えば、第１処理部１４１、第２処理部１４２、及び第３処理部１４３を備える。第１処理部１４１は、端末装置３が子機２からの呼び出しを受け付けて応答した場合に、少なくとも応答した端末装置３を利用しているユーザを特定する情報を、電子カルテシステム４のカルテ側看護履歴情報ＤＢ４３に格納する第１処理手段である。第２処理部１４２は、サーバ側スタンプ情報ＤＢ１３４に格納されているサーバ側スタンプ情報に基づいて、端末装置３が受け付けたスタンプ画像に対応するスタンプ文字情報を特定し、特定したスタンプ文字情報と、端末装置３が受け付けた数値情報が特定する数値に対応する情報を、電子カルテシステム４のカルテ側看護履歴情報ＤＢ４３に格納する第２処理手段である。第３処理部１４３は、端末装置３が受け付けた撮像画像に基づいて、患者の看護に関する情報を特定し、特定した患者の看護に関する情報を、電子カルテシステム４のカルテ側看護履歴情報ＤＢ４３に格納する第３処理手段である。なお、この制御部１４の各部により行われる処理については、後述する。
【００６５】
（構成−医療システム−ナースコールシステム）
図１の子機２及びナースコール制御装置２００は、ナースコールシステムを構成する公知のシステムである。なお、ナースコールシステムには、実際にはナースステーション等に設けられる親機も含まれているが、この親機の図示は省略されている。
【００６６】
（構成−医療システム−ナースコールシステム−子機）
子機２は、ナースコール装置であり、例えば、患者に割り当てられているベッドの周辺に設けられている装置である。この子機２の構成は任意であるが、例えば、患者が当該子機２を用いて端末装置３を呼び出し可能となるように、不図示の呼び出しボタン、通話部（マイク及びスピーカ等）、通信部、記録部、及び制御部等を含んで構成することができる。なお、ここでは、例えば、子機２０１の記録部に子機２０１を一意に識別する子機ＩＤとして「ＩＤｃ００１」が格納されており、また、子機２０２の記録部に子機２０２を一意に識別する子機ＩＤとして「ＩＤｃ００２」が格納されていることとし、また、子機２０１が図５の「患者ＩＤ」＝「ＩＤｐ００１」の「７０２号室」の「１番」のベッドの周辺に設けられており、また、子機２０２が図５の「患者ＩＤ」＝「ＩＤｐ００２」の「８２１号室」の「５番」のベッドの周辺に設けられていることとして、以下説明する。
【００６７】
（構成−医療システム−ナースコールシステム−ナースコール制御装置）
図１のナースコール制御装置２００は、子機２と端末装置３との間で通信又は通話を中継する中継装置である。ナースコール制御装置２００は、例えば、通信部２１、記録部２２、及び制御部２３を備える。
【００６８】
（構成−医療システム−ナースコールシステム−ナースコール制御装置−通信部）
通信部２１は、外部装置（例えば、子機２及び端末装置３等）との間で通信するための通信手段である。この通信部２１の具体的な種類や構成は任意であるが、例えば、公知のＰＢＸ（構内交換機）、通信回路等を備えて構成することができる。
【００６９】
（構成−医療システム−ナースコールシステム−ナースコール制御装置−記録部）
記録部２２は、ナースコール制御装置２００の動作に必要なプログラム及び各種のデータを記録する記録手段であり、例えば、子機患者対応情報ＤＢ２２１を備える。
【００７０】
（構成−医療システム−ナースコールシステム−ナースコール制御装置−記録部−子機患者対応情報ＤＢ）
子機患者対応情報ＤＢ２２１は、子機患者対応情報を格納する子機患者対応情報格納手段である。「子機患者対応情報」とは、ナースコールシステムの子機と当該子機が割り当てられている患者とを相互に対応付ける情報である。図１１は、子機患者対応情報を例示した図である。「子機患者対応情報」は、図１１に示すように、例えば、項目「子機ＩＤ」、項目「患者ＩＤ」、項目「患者氏名情報」、項目「病名情報」、項目「部屋名情報」、及び項目「ベッド情報」と、各項目に対応する情報とが相互に関連付けられている情報である。項目「患者ＩＤ」、項目「患者氏名情報」、項目「病名情報」、項目「部屋名情報」、及び項目「ベッド情報」に対応する各情報は、図５の同一名称の情報と同様である。項目「子機ＩＤ」に対応する情報は、前述の子機ＩＤである（図１１では、「ＩＤｃ００１」等）。
【００７１】
なお、このような図１１の子機患者対応情報については、例えば、「ＩＤｃ００１」に対応する子機２０１が、「７０２号室」の「１番」のベッドが割り当てられている「ＩＤｐ００１」の患者に対応付けられていること、及び「ＩＤｃ００２」に対応する子機２０２が、「８２１号室」の「５番」のベッドが割り当てられている「ＩＤｐ００２」の患者に対応付けられていること等が示されている。そして、このような子機患者対応情報の具体的な格納手法は任意であるが、例えば、管理者が、ナースコール制御装置２００の不図示の入力部を介して入力したり、あるいは、メモリステック等の任意の記録媒体を用いて入力したりし、制御部２３が当該入力された情報を取得して、取得した情報を格納することにより、格納されることとする。
【００７２】
（構成−医療システム−ナースコールシステム−ナースコール制御装置−制御部）
図２の制御部２３は、ナースコール制御装置２００を制御する制御手段である。なお、この制御部２３の各部により行われる処理については、後述する。
【００７３】
（構成−医療システム−端末装置）
端末装置３は、スマートフォンであり、図３に示すように、例えば、通信部３１、タッチパッド３２、ディスプレイ３３、通話部３４、撮像部３５、記録部３６、及び制御部３７を備える。
【００７４】
（構成−医療システム−端末装置−通信部）
通信部３１は、外部装置（例えば、サーバ装置１及びナースコール制御装置２００等）との間で通信するための通信手段である。この通信部３１の具体的な種類や構成は任意であるが、例えば、公知の通信回路等を用いて構成することができる。
【００７５】
（構成−医療システム−端末装置−タッチパッド）
タッチパッド３２は、ユーザの指等で押圧されることにより、当該ユーザから各種操作入力を受け付ける操作手段である。このタッチパッド３２の具体的な構成は任意であるが、例えば、抵抗膜方式や静電容量方式等による操作位置検出手段を備えた公知のものを用いることができる。
【００７６】
（構成−医療システム−端末装置−ディスプレイ）
ディスプレイ３３は、制御部３７の制御に基づいて各種の画像を表示する表示手段である。このディスプレイ３３の具体的な構成は任意であるが、例えば、公知の液晶ディスプレイや有機ＥＬディスプレイの如きフラットパネルディスプレイ等を用いることができる。なお、上記のタッチパッド３２とディスプレイ３３とを相互に重畳させてタッチパネルとして一体形成しても構わない。
【００７７】
（構成−医療システム−端末装置−通話部）
通話部３４は、ナースコール制御装置２００を介して子機２との間で通話を行うための通話手段である。この通話部３４の具体的な種類や構成は任意であるが、例えば、マイク又はスピーカ等を備えて構成することができる。なお、ここでのスピーカについては、通話以外の任意の用途（例えば、端末装置３のユーザに対して任意の情報を報知する用途等）にも用いることができることとする。
【００７８】
（構成−医療システム−端末装置−撮像部）
撮像部３５は、画像を撮像する撮像手段である。この撮像部の具体的な種類や構成は任意であるが、例えば、レンズ等の光学系及びイメージセンサ等を用いて構成することができる。
【００７９】
（構成−医療システム−端末装置−記録部）
記録部３６は、端末装置３の動作に必要なプログラム及び各種のデータを記録する記録手段である。この記録部３６は、ユーザＩＤが記録されており、また、スタンプ画像ＤＢ３６０、ユーザ情報ＤＢ３６１、患者情報ＤＢ３６２、グループ情報ＤＢ３６３、端末側看護履歴スタンプ情報ＤＢ３６４、端末側看護履歴画像情報ＤＢ３６５、端末側看護履歴コール情報ＤＢ３６６、及び端末側撮像画像ＤＢ３６７を備える。
【００８０】
（構成−医療システム−端末装置−記録部−ユーザＩＤ）
記録部３６の「ユーザＩＤ」としては、端末装置３を利用しているユーザを特定するユーザＩＤが記録されている。ユーザＩＤの具体的な記録手法は任意であるが、例えば、ユーザが端末装置３の電源をオンして、タッチパッド３２を介して所定操作を行うことにより、ログイン画面をディスプレイ３３に表示し、当該ログイン画面上の入力欄に自己のユーザＩＤを入力した場合に、制御部３７が、当該入力欄に入力されたログインＩＤを受け付けて、受け付けたログインＩＤを記録部３６に格納することにより、格納されることとする。ここでは、例えば、図１に図示されているように、端末装置３０１を図４の看護師である「ＢＢＢ１」が利用しており、「ＢＢＢ１」が自己のユーザＩＤを入力することにより、端末装置３０１の記録部３６に「ＩＤｕ２０１」が格納されていることとし、また、同様にして、端末装置３０２、３０３を医師、看護師である「ＡＡＡ１」、「ＢＢＢ２」が利用しており、端末装置３０２、３０３の記録部３６に「ＩＤｕ００１」、「ＩＤｕ２０２」が格納されていることとして説明する。
【００８１】
（構成−医療システム−端末装置−記録部−スタンプ画像ＤＢ）
図３のスタンプ画像ＤＢ３６０は、スタンプ画像を格納するスタンプ画像格納手段であり、例えば、図２の同一名称の構成と同様である。そして、このようなスタンプ画像ＤＢ３６０におけるスタンプ画像の具体的な格納手法は任意であるが、例えば、任意のタイミング（例えば、一定時間（１２時間〜２４時間等）毎のタイミング、あるいは、タッチパッド３２を介して不図示のダウンロードボタンがタップされたタイミング等）に、制御部３７がサーバ装置１にアクセスして、図２のスタンプ画像ＤＢ１３０に格納されているスタンプ画像をダウンロードし、当該ダウンロードされた画像を図３のスタンプ画像ＤＢ３６０に格納することにより、スタンプ画像ＤＢ１３０のスタンプ画像と同様なスタンプ画像が格納されることとする。このように格納することにより、ここでは、例えば、端末装置３及びサーバ装置１各々のスタンプ画像ＤＢ３６０、１３０に、同一のファイル名のスタンプ画像が格納されることとして説明する。
【００８２】
（構成−医療システム−端末装置−記録部−ユーザ情報ＤＢ）
図３のユーザ情報ＤＢ３６１は、ユーザ情報を格納するユーザ情報格納手段であり、例えば、図２の同一名称の構成と同様である。そして、このようなユーザ情報ＤＢ３６１におけるユーザ情報の具体的な格納手法は任意であるが、例えば、スタンプ画像ＤＢ３６０におけるスタンプ画像と同様にして格納することにより、図２のユーザ情報ＤＢ１３１のユーザ情報と同様なユーザ情報が格納されることとする。
【００８３】
（構成−医療システム−端末装置−記録部−患者情報ＤＢ）
図３の患者情報ＤＢ３６２は、患者情報を格納する患者情報格納手段であり、例えば、図２の同一名称の構成と同様である。そして、このような患者情報ＤＢ３６２における患者情報の具体的な格納手法は任意であるが、例えば、スタンプ画像ＤＢ３６０におけるスタンプ画像と同様にして格納することにより、図２の患者情報ＤＢ１３２の患者情報と同様な患者情報が格納されることとする。
【００８４】
（構成−医療システム−端末装置−記録部−グループ情報ＤＢ）
図３のグループ情報ＤＢ３６３は、グループ情報を格納するグループ情報格納手段であり、例えば、図２の同一名称の構成と同様である。そして、このようなグループ情報ＤＢ３６３におけるグループ情報の具体的な格納手法は任意であるが、例えば、スタンプ画像ＤＢ３６０におけるスタンプ画像と同様にして格納することにより、図２のグループ情報ＤＢ１３３のグループ情報と同様なグループ情報が格納されることとする。
【００８５】
（構成−医療システム−端末装置−記録部−端末側看護履歴スタンプ情報ＤＢ）
図３の端末側看護履歴スタンプ情報ＤＢ３６４は、端末側看護履歴スタンプ情報を格納する端末側看護履歴スタンプ情報格納手段である。図１２は、端末側看護履歴スタンプ情報を例示した図である。なお、この図１２については、図１の端末装置３０１の記録部３６に記録されている情報が例示されている（なお、後述する図１３及び図１４についても同様に、端末装置３０１の記録部３６に記録されている情報が例示されている）。「端末側看護履歴スタンプ情報」とは、端末装置３を利用しているユーザが担当する患者に対して、当該患者を担当するグループ内のユーザによって入力されたスタンプ画像及び数値情報等の履歴を特定する情報であり、各項目及び当該各項目に対応する情報については、図８のサーバ側看護履歴スタンプ情報と同様である。そして、このような端末側看護履歴スタンプ情報の具体的な格納手法は任意であるが、例えば、後述する情報同期処理を実行することにより格納される（後述する端末側看護履歴画像情報、及び端末側看護履歴コール情報についても同様である）。
【００８６】
（構成−医療システム−端末装置−記録部−端末側看護履歴画像情報ＤＢ）
図３の端末側看護履歴画像情報ＤＢ３６５は、端末側看護履歴画像情報を格納する端末側看護履歴画像情報格納手段である。図１３は、端末側看護履歴画像情報を例示した図である。「端末側看護履歴画像情報」とは、端末装置３を利用しているユーザが担当する患者に関して、当該患者を担当するグループ内のユーザによって撮像された画像から特定した患者の看護に関する情報等の履歴を特定する情報であり、各項目及び当該各項目に対応する情報については、図９のサーバ側看護履歴画像情報と同様である。
【００８７】
（構成−医療システム−端末装置−記録部−端末側看護履歴コール情報ＤＢ）
図３の端末側看護履歴コール情報ＤＢ３６６は、端末側看護履歴コール情報を格納する端末側看護履歴コール情報格納手段である。図１４は、端末側看護履歴コール情報を例示した図である。「端末側看護履歴コール情報」とは、図１の子機２の内の端末装置３を利用しているユーザが担当する患者に対応する子機２側からの呼び出しであるナースコールに関する履歴を特定する情報であり、各項目及び当該各項目に対応する情報については、図１０のサーバ側看護履歴コール情報と同様である。
【００８８】
（構成−医療システム−端末装置−記録部−端末側撮像画像ＤＢ）
図３の端末側撮像画像ＤＢ３６７は、端末装置３で撮像された画像を格納するの端末側撮像画像格納手段である。そして、このような端末側撮像画像ＤＢ３６７の画像の具体的な格納手法は任意であるが、例えば、後述する画像情報格納処理を実行することにより格納される。
【００８９】
（構成−医療システム−端末装置−制御部）
図３の制御部３７は、端末装置３を制御する制御手段である。なお、この制御部３７の各部により行われる処理については、後述する。
【００９０】
（構成−医療システム−電子カルテシステム）
図１の電子カルテシステム４は、患者のカルテの内容を示す情報であるカルテ情報等を格納して管理する公知のシステムである。なお、この電子カルテシステム４には、通信部、入力部、制御部等の公知の構成を含んで構成されているが、ここでは、これらの公知の構成については説明を省略する。電子カルテシステム４は、例えば、ユーザ情報ＤＢ４１、患者情報ＤＢ４２、及びカルテ側看護履歴情報ＤＢ４３を備える。
【００９１】
（構成−医療システム−電子カルテシステム−ユーザ情報ＤＢ）
図１のユーザ情報ＤＢ４１は、ユーザ情報を格納するユーザ情報格納手段であり、例えば、図２の同一名称の構成と同様である。そして、このようなユーザ情報ＤＢ４１におけるユーザ情報の具体的な格納手法は任意であるが、例えば、管理者が、電子カルテシステム４の不図示の入力部を介して入力したり、あるいは、メモリステック等の任意の記録媒体を用いて入力したりし、電子カルテシステム４の不図示の制御部が当該入力された情報を取得して、取得した情報を格納することにより、格納されることとする。
【００９２】
（構成−医療システム−電子カルテシステム−患者情報ＤＢ）
図１の患者情報ＤＢ４２は、患者情報を格納するユーザ情報格納手段であり、例えば、図２の同一名称の構成と同様である。そして、このような患者情報ＤＢ４２における患者情報の具体的な格納手法は任意であるが、例えば、管理者、医師、又は看護師が、電子カルテシステム４の不図示の入力部を介して入力したり、あるいは、メモリステック等の任意の記録媒体を用いて入力したりし、電子カルテシステム４の不図示の制御部が当該入力された情報を取得して、取得した情報を格納することにより、格納されることとする。
【００９３】
（構成−医療システム−電子カルテシステム−カルテ側看護履歴情報ＤＢ）
図１のカルテ側看護履歴情報ＤＢ４３は、カルテ側看護履歴情報を格納するカルテ側看護履歴情報格納手段であり、特に、前述の格納装置である。図１５は、カルテ側看護履歴情報を例示した図である。「カルテ側看護履歴情報」とは、看護に関する各種履歴を特定する情報であり、例えば、各患者に対してユーザによって入力されたスタンプ画像及び数値情報等の履歴、各患者に関してユーザによって撮像された画像から特定した患者の看護に関する情報等の履歴、及びナースコールに関する履歴等を特定する情報である。この「カルテ側看護履歴情報」は、図１５に示すように、例えば、項目「患者ＩＤ」、項目「看護内容情報」、項目「応答者情報」、項目「看護日時情報」、及び項目「記録者情報」と、各項目に対応する情報とが相互に関連付けられている情報である。項目「患者ＩＤ」、及び項目「応答者情報」に対応する各情報は、図５、図８及び図１０の同一名称の項目の情報と同様である。
【００９４】
項目「看護内容情報」に対応する情報は、看護に関する各種内容を特定する看護内容情報である（図１５では、図８の入力スタンプ画像特定情報及び入力数値情報に対応する情報である「体温測定，３６．６度」等、図９の画像内容情報である「尿量測定，１０」等、ナースコールに対する応答及び図１０のコール理由情報を示す「ナースコール，嘔吐」等）。項目「看護日時情報」に対応する情報は、看護内容情報に対応する日時を特定する看護日時情報である（図１５では、図８のスタンプ入力日時情報である「０７２４１９００」等、図９の画像入力日時情報である「０７２５０９００」等、図１０の応答日時情報である「０７２５１１３０」等）。項目「記録者情報」に対応する情報は、各種情報をサーバ装置１に記録したユーザ（つまり、各種情報に対応する看護に関する項目を行ったユーザ）を特定する記録者情報である（図１５では、図８のスタンプ記録者情報及び図９の画像記録者情報である「ＩＤｕ２０１」等）。なお、この記録者情報に関して、ナースコールについては記録したユーザが存在しないので、情報が何ら記録されていない。そして、このようなカルテ側看護履歴情報の具体的な格納手法は任意であるが、例えば、後述する電子カルテ側情報格納処理を実行することにより格納される。
【００９５】
（処理）
次に、このように構成される医療システム１００によって実行される情報同期処理、情報表示処理、スタンプ情報格納処理、画像情報格納処理、コール情報格納処理、及び電子カルテ側情報格納処理について説明する。ここでは、例えば、前述したように、図１の端末装置３０１、３０２、３０３を、各ユーザである「ＢＢＢ１」、「ＡＡＡ１」、「ＢＢＢ２」が利用する場合において、当該各ユーザが自己が利用する端末装置３に対してログインすることにより、端末装置３０１、３０２、３０３の記録部３６のユーザＩＤとして「ＩＤｕ２０１」、「ＩＤｕ００１」、「ＩＤｕ２０２」が格納されていることとして説明する。そして、端末装置３側の処理は相互に同様であるので、基本的には端末装置３０１（コール情報格納処理では端末装置３０３）を例示して説明し、必要に応じて他の端末装置３も例示して説明する。
【００９６】
（処理−情報同期処理）
まず、情報同期処理について説明する。図１６は、情報同期処理のフローチャートである。「情報同期処理」とは、概略的には、端末装置３及びサーバ装置１によって実行される処理であり、具体的には、サーバ装置１の図８のサーバ側看護履歴スタンプ情報、図９のサーバ側看護履歴画像情報、図１０のサーバ側看護履歴コール情報（以下、これらの図８〜図１０の３種類の情報を「サーバ側履歴情報」と適宜総称する）各々の情報の内の、各端末装置３に関連する情報を、当該端末装置３の図１２の端末側看護履歴スタンプ情報、図１３の端末側看護履歴画像情報、及び図１４の端末側看護履歴コール情報（以下、これらの図１２〜図１４の３種類の情報を「端末側履歴情報」と適宜総称する）として格納する処理である。この情報同期処理については、公知の処理を適用することができるので、情報同期処理の一例の処理を説明するが、「サーバ側履歴情報」に対して「端末側履歴情報」を同期させることができる限りにおいて、他の任意の処理を適用してもよい。この情報同期処理を実行するタイミングは任意であるが、例えば、サーバ装置１及び端末装置３の電源をオンし、ユーザが前述のように各端末装置３にログインした後に所定時間間隔（例えば、０．３秒〜１秒間隔、あるいは、更に短い間隔等）で繰り返し実行されることとし、情報同期処理が起動したところから説明する。
【００９７】
図１６のＳＡ１においてサーバ装置１の制御部１４は、同期用信号を送信するか否かを判定する。なお、「同期用信号」とは、「サーバ側履歴情報」に対して「端末側履歴情報」を同期させるための信号であり、例えば、「サーバ側履歴情報」と同じ情報を「端末側履歴情報」として格納するための信号である。具体的には任意であるが、例えば、サーバ装置１の制御部１４は、自己のサーバ側看護履歴スタンプ情報ＤＢ１３５、サーバ側看護履歴画像情報ＤＢ１３６、及びサーバ側看護履歴コール情報ＤＢ１３７（以下、これらの３種類のＤＢを「サーバ側履歴ＤＢ」と適宜総称する）を監視し、「サーバ側履歴ＤＢ」内で新たな情報の格納又は情報の更新が発生したか否かを判定し、判定結果に基づいて判定する。
【００９８】
そして、新たな情報の格納又は情報の更新が発生していないものと判定した場合、同期用信号を送信しないものと判定し（ＳＡ１のＮＯ）、新たな情報の格納又は情報の更新が発生したものと判定するまで、繰り返しＳＡ１を実行する。また、新たな情報の格納又は情報の更新が発生したものと判定した場合、同期用信号を送信するものと判定し（ＳＡ１のＹＥＳ）、ＳＡ２に移行する。
【００９９】
ここでは、例えば、図８の「データＩＤ」＝「ＩＤｄ１０４」に関連付けられているデータセット（つまり、「データＩＤ」＝「ＩＤｄ１０４」、「患者ＩＤ」＝「ＩＤｐ００１」、「入力スタンプ画像特定情報」＝「Ｆｓ００５」、「入力数値情報」＝「５０」、「スタンプ入力日時情報」＝「０７２５０８４５」、「スタンプ記録者情報」＝「ＩＤｕ２０１」、「スタンプ既読者情報」＝「ＩＤｕ２０１」、及び「スタンプ保存状態情報」＝「未」のデータセット）が新たに格納された場合、「サーバ側履歴ＤＢ」（具体的にはサーバ側看護履歴スタンプ情報ＤＢ１３５）内で新たな情報の格納又は情報の更新が発生したものと判定し、同期用信号を送信するものと判定する。
【０１００】
図１６のＳＡ２においてサーバ装置１の制御部１４は、同期用信号を送信する。具体的には任意であるが、例えば、まず、「サーバ側履歴ＤＢ」を参照して、ＳＡ１にて新たな情報の格納又は情報の更新が発生したものと判定された当該情報のデータセット（つまり、前述の「データＩＤ」、「患者ＩＤ」、・・・、「スタンプ保存状態情報」のセット等）を取得する。なお、当該データセットの内の１個の情報（例えば、「スタンプ保存状態情報」のみ等）が更新されていた場合であっても、データセット全体を取得することとする。次に、取得したデータセットを含む同期用信号を生成し、生成した同期用信号を通信部１１を介して各端末装置３に送信する。ここでは、例えば、図８の「データＩＤ」＝「ＩＤｄ１０４」に関連付けられているデータセットを取得し、取得した当該データセットを含む同期用信号を生成して送信する。
【０１０１】
一方、図１６のＳＢ１において端末装置３の制御部３７は、同期用信号を受信する。具体的には任意であるが、例えば、ＳＡ２で送信された同期用信号を通信部３１を介して受信する。ここでは、例えば、端末装置３０１の制御部３７は、図８の「データＩＤ」＝「ＩＤｄ１０４」に関連付けられているデータセットを含む同期用信号を受信する。
【０１０２】
図１６のＳＢ２において端末装置３の制御部３７は、同期用信号に含まれている情報を格納するか否かを判定する。具体的には任意であるが、例えば、同期用信号に含まれている情報が自己に関連する情報であるか否かに基づいて判定する。詳細には、まず、制御部３７は、グループ情報ＤＢ３６３の図６のグループ情報を参照し、自己の記録部３６に格納されているユーザＩＤに対応する患者ＩＤ（以下、「ユーザが担当する患者の患者ＩＤ」とも称する）を特定し、ＳＢ１で受信した同期用信号に含まれるデータセットに、前述の特定した「ユーザが担当する患者の患者ＩＤ」が含まれているデータセットが存在しない場合、情報を格納しないものと判定し（ＳＢ２のＮＯ）、処理を終了する。また、同期用信号に含まれるデータセットに、前述の特定した「ユーザが担当する患者の患者ＩＤ」が含まれているデータセットが存在する場合、情報を格納するものと判定し（ＳＢ１のＹＥＳ）、ＳＢ３に移行する。
【０１０３】
ここでは、例えば、端末装置３０１の制御部３７は、グループ情報ＤＢ３６３の図６のグループ情報を参照し、自己の記録部３６に格納されているユーザＩＤである「ＩＤｕ２０１」に関連付けられている「ユーザが担当する患者の患者ＩＤ」＝「ＩＤｐ００１」及び「ＩＤｐ００３」を特定し、ＳＢ１で受信した同期用信号に含まれる図８の「データＩＤ」＝「ＩＤｄ１０４」に関連付けられているデータセットに、当該特定した「ユーザが担当する患者の患者ＩＤ」＝「ＩＤｐ００１」が含まれているので、情報を格納するものと判定する。
【０１０４】
図１６のＳＢ３において端末装置３の制御部３７は、情報を格納する。具体的には任意であるが、例えば、ＳＢ１で受信した同期用信号に含まれているデータセットの内の、ＳＢ２にて特定した「ユーザが担当する患者の患者ＩＤ」が含まれているデータセットを特定し、当該特定したデータセットを、自己の端末側看護履歴スタンプ情報ＤＢ３６４、端末側看護履歴画像情報ＤＢ３６５、又は端末側看護履歴コール情報ＤＢ３６６（以下、これらの３種類のＤＢを「端末側履歴ＤＢ」と適宜総称する）における前述特定したデータセットに対応するＤＢに格納する。
【０１０５】
ここでは、例えば、端末装置３０１の制御部３７は、ＳＢ１で受信した同期用信号に含まれているデータセットの内の、ＳＢ２にて特定した「ユーザが担当する患者の患者ＩＤ」＝「ＩＤｐ００１」又は「ＩＤｐ００３」が含まれているデータセットである図８の「データＩＤ」＝「ＩＤｄ１０４」に関連付けられているデータセットを特定し、当該特定したデータセットを、自己の「端末側履歴ＤＢ」（具体的には、端末側看護履歴画像情報ＤＢ３６５）に格納する。このようにして、図１２の「データＩＤ」＝「ＩＤｄ１０４」に関連付けられているデータセットとして、図８の「データＩＤ」＝「ＩＤｄ１０４」に関連付けられているデータセットと同じ情報が記録されることになる。
【０１０６】
そして、上述の各処理を繰り返すことにより、「サーバ側履歴ＤＢ」における「サーバ側履歴情報」各々の情報の内の、各端末装置３に関連する情報が「端末側履歴ＤＢ」の「端末側履歴情報」として格納されることになり、「サーバ側履歴情報」に対して「端末側履歴情報」が同期されることになる。これにて、情報同期処理を終了する。
【０１０７】
（処理−情報表示処理）
次に、情報表示処理について説明する。図１７は、情報表示処理のフローチャートであり、図１８は、選択画面の表示例であり、図１９及び図２０は、表示入力画面の表示例である。「情報表示処理」とは、概略的には、端末装置３及びサーバ装置１によって実行される処理であり、具体的には、「端末側履歴情報」に対応する情報を端末装置３のディスプレイ３３に表示する処理である。この情報表示処理を実行するタイミングは任意であるが、例えば、サーバ装置１及び端末装置３の電源をオンし、ユーザが前述のように各端末装置３にログインした上で、タッチパッド３２を介してユーザが所定操作を行った場合に実行されることとし、情報表示処理が起動したところから説明する。
【０１０８】
図１７のＳＣ１において端末装置３の制御部３７は、選択画面をディスプレイ３３に表示する。「選択画面」とは、情報を表示又は入力する対象となる患者をユーザに選択させるための画面であり、例えば、図１８に図示するように、選択ボタン画像Ｇ１を含む画面である。「選択ボタン画像」Ｇ１とは、情報を表示又は入力する対象となる患者をユーザに選択させるためのボタンである。ＳＣ１の処理について具体的には、端末装置３の制御部３７は、まず、グループ情報ＤＢ３６３の図６のグループ情報を参照し、自己の記録部３６に格納されているユーザＩＤに関連付けられている患者ＩＤ（つまり、「ユーザが担当する患者の患者ＩＤ」）を特定する。次に、患者情報ＤＢ３６２の図５の患者情報を参照し、前述の特定した患者ＩＤ各々に関連付けられている患者氏名情報を特定し、特定した患者氏名情報各々に対応する選択ボタン画像を含む選択画面を生成し、生成した選択画面を表示する。
【０１０９】
ここでは、例えば、端末装置３０１の制御部３７は、まず、グループ情報ＤＢ３６３の図６のグループ情報を参照し、自己の記録部３６に格納されている「ユーザＩＤ」＝「ＩＤｕ２０１」に関連付けられている「患者ＩＤ」＝「ＩＤｐ００１」及び「ＩＤｐ００３」を特定する。次に、患者情報ＤＢ３６２の図５の患者情報を参照し、前述の特定した「患者ＩＤ」＝「ＩＤｐ００１」及び「ＩＤｐ００３」各々に関連付けられている「患者氏名情報」＝「ＤＤＤ１」及び「ＤＤＤ３」を特定し、特定した患者氏名情報各々に対応する選択ボタン画像Ｇ１を含む選択画面を生成し表示する。
【０１１０】
図１７のＳＣ２において端末装置３の制御部３７は、「端末側履歴情報」を取得する。具体的には任意であるが、例えば、ユーザが、ＳＣ１で表示された選択画面の１個の選択ボタン画像をタッチパッド３２を介してタップした場合に、「端末側履歴ＤＢ」における当該タップされた選択ボタン画像に対応する患者の「端末側履歴情報」取得する。詳細には、ユーザが、ＳＣ１で表示した選択画面の１個の選択ボタン画像をタップした場合に、制御部３７は、患者情報ＤＢ３６２の図５の患者情報を参照し、前述のタップされた選択ボタンに対応する患者氏名情報に関連付けられている患者ＩＤを特定し、「端末側履歴ＤＢ」の「端末側履歴情報」を参照して、当該特定した患者ＩＤが含まれているデータセットを取得する。
【０１１１】
ここでは、例えば、端末装置３０１のユーザが、ＳＣ１で表示した選択画面の内の「ＤＤＤ１」の選択ボタン画像Ｇ１をタップした場合に、端末装置３０１の制御部３７は、患者情報ＤＢ３６２の図５の患者情報を参照し、前述のタップされた「ＤＤＤ１」の選択ボタン画像Ｇ１に対応する「患者氏名情報」＝「ＤＤＤ１」に関連付けられている「患者ＩＤ」＝「ＩＤｐ００１」を特定し、「端末側履歴ＤＢ」の「端末側履歴情報」を参照して、当該特定した患者ＩＤが含まれているデータセットとして、図１２の「データＩＤ」＝「ＩＤｄ１０１」〜「ＩＤｄ１０４」に関連付けられているデータセット、図１３の「データＩＤ」＝「ＩＤｄ２０１」及び「ＩＤｄ２０２」に関連付けられているデータセット、及び図１４の「データＩＤ」＝「ＩＤｄ３０１」に関連付けられているデータセットを取得する。
【０１１２】
図１７のＳＣ３において端末装置３の制御部３７は、表示入力画面をディスプレイ３３に表示する。
【０１１３】
「表示入力画面」とは、各種情報を表示したり入力したりするための画面であり、例えば、図１９に示すように、情報表示領域Ｇ２、カメラ起動ボタンＧ３１、及びスタンプ等入力ボタンＧ３２を含む画面である。「カメラ起動ボタン」Ｇ３１とは、図３の撮像部３５を起動するためのボタンであり、「スタンプ等入力ボタン」Ｇ３２とは、スタンプ画像及び数値情報を入力するためのボタンである。「情報表示領域」Ｇ２とは、「端末側履歴情報」に対応する情報（画像を含む）が表示される領域であり、例えば、図１９及び図２０に示すように、表示情報セットＧ２０１〜Ｇ２０５等が表示される領域である。そして、この「情報表示領域」Ｇ２については、タッチパッド３２を介してユーザが図面上下方向にスワイプすることにより、情報を上下にスクロール可能となり、例えば、図１９の情報表示領域Ｇ２を上方向にスワイプした場合に、表示されている情報が上方向にスクロールされ、図１９の情報表示領域Ｇ２に表示されている情報の下側に配置されて視認不可能となっている情報が、図２０に示すように視認可能となるように構成されていることとする。なお、ここでのスワイプにより情報をスクロールして表示する具体的な処理については、公知の処理を適用することができるので、説明を省略する。「表示情報セット」Ｇ２０１〜Ｇ２０５とは、「端末側履歴情報」の各データセット単位の情報であり、例えば、図１９に示すように、日時表示情報Ｇ２１、既読表示情報Ｇ２２、保存状態表示情報Ｇ２３、及びメッセージ表示情報Ｇ２４を含んでいる。「日時表示情報」Ｇ２１とは、各種情報が端末装置３に入力された日時又はナースコールに応答した日時を示す情報であり、「既読表示情報」Ｇ２２とは、「端末側履歴情報」の同じデータセットの情報を表示した端末装置３の数を示す情報であり、また、「保存状態表示情報」Ｇ２３とは、「端末側履歴情報」の同じデータセットの情報に対応する情報が、電子カルテシステム４のカルテ側看護履歴情報ＤＢ４３に格納されたか否か及び格納された日時を示す情報である。また、「メッセージ表示情報」Ｇ２４とは、端末装置３に入力された各種情報（画像を含む）、当該入力された情報に対応する情報、及び応答されたナースコールを示す情報である。なお、これらの各情報については、説明の便宜上、表示情報セットＧ２０１についてのみ符号が付されており、他の表示情報セットＧ２０２〜Ｇ２０５については、符号が適宜省略されている。
【０１１４】
ＳＣ３の処理について具体的には任意であるが、例えば、まず、制御部３７は、ＳＣ２で取得した各データセットについて、図１２のスタンプ入力日時情報、図１３の画像入力日時情報、及び図１４の応答日時情報に着目して、日時の順にソートする。次に、ソートした各データセットの種類に応じて、以下の第１〜第３表示処理を行う。「第１表示処理」とは、図１２の端末側看護履歴スタンプ情報のデータセットについて行われる処理であり、「第２表示処理」とは、図１３の端末側看護履歴画像情報のデータセットについて行われる処理であり、「第３表示処理」とは、図１４の端末側看護履歴コール情報のデータセットについて行われる処理である。以下では、これらの第１〜第３表示処理各々について１個のデータセットについて行われる処理を説明する。
【０１１５】
＝＝＝第１表示処理＝＝＝
第１表示処理については、端末装置３の制御部３７は、まず、ＳＣ２で取得したデータセットにおいて、図１２の入力スタンプ画像特定情報及び入力数値情報を特定し、図３のスタンプ画像ＤＢ３６０を参照して、当該特定した入力スタンプ画像特定情報が示すファイル名のスタンプ画像を取得し、当該取得したスタンプ画像と前述の特定した入力数値情報とを表示入力画面の「メッセージ表示情報」として表示する。次に、ＳＣ２で取得したデータセットにおいて、図１２のスタンプ入力日時情報を取得し、取得したスタンプ入力日時情報が特定する日時を表示入力画面の「日時表示情報」として表示する。次に、ＳＣ２で取得したデータセットにおいて、スタンプ既読者情報として記録されているユーザＩＤの個数を特定し、特定した個数の数を表示入力画面の「既読表示情報」の「既読：」という文字の隣に表示される数字として表示する。次に、ＳＣ２で取得したデータセットにおいて、スタンプ保存状態情報が「未」である場合、表示入力画面の「保存状態表示情報」の「保存：」という文字の隣に「未」を表示し、また、スタンプ保存状態情報が「済（０７２５２０００）」等である場合、表示入力画面の「保存状態表示情報」の「保存：」という文字の隣に「済」及びスタンプ保存状態情報が特定する日時を表示する。
【０１１６】
ここでは、例えば、端末装置３０１の制御部３７は、ＳＣ２で取得した図１２の「データＩＤ」＝「ＩＤｄ１０１」に関連付けられているデータセットについては、図１２の「入力スタンプ画像特定情報」＝「Ｆｓ００１」及び「入力数値情報」＝「３６．６」を特定し、図３のスタンプ画像ＤＢ３６０を参照して、当該特定した入力スタンプ画像特定情報が示す「入力スタンプ画像特定情報」＝「Ｆｓ００１」の図１９のスタンプ画像Ｇ４１を取得し、当該取得したスタンプ画像Ｇ４１と前述の特定した「入力数値情報」＝「３６．６」とを表示入力画面のメッセージ表示情報Ｇ２４として表示する。次に、ＳＣ２で取得した図１２の「データＩＤ」＝「ＩＤｄ１０１」に関連付けられているデータセットにおいて、「スタンプ入力日時情報」＝「０７２４１９００」を取得し、取得した「スタンプ入力日時情報」＝「０７２４１９００」が特定する日時である「７月２４日１９時００分」を表示入力画面の日時表示情報Ｇ２１として表示する。次に、ＳＣ２で取得した図１２の「データＩＤ」＝「ＩＤｄ１０１」に関連付けられているデータセットにおいて、スタンプ既読者情報として記録されているユーザＩＤの個数として「２」個を特定し、特定した個数の数である「２」を表示入力画面の既読表示情報Ｇ２２の「既読：」という文字の隣に表示される数字として表示する。次に、ＳＣ２で取得した図１２の「データＩＤ」＝「ＩＤｄ１０１」に関連付けられているデータセットにおいて、スタンプ保存状態情報が「済（０７２５２０００）」であるので、表示入力画面の保存状態表示情報Ｇ２３の「保存：」という文字の隣に「済」及びスタンプ保存状態情報が特定する日時である「７月２５日２０時００分」を表示する。
【０１１７】
また、例えば、端末装置３０１の制御部３７は、ＳＣ２で取得した図１２の「データＩＤ」＝「ＩＤｄ１０２」に関連付けられているデータセットについても、同様な処理を行うことにより、表示情報セットＧ２０２の情報を表示する。
【０１１８】
また、例えば、端末装置３０１の制御部３７は、ＳＣ２で取得した図１２の「データＩＤ」＝「ＩＤｄ１０３」及び「ＩＤｄ１０４」」に関連付けられているデータセットについても、同様な処理を行うことにより、不図示の各表示情報セットの情報を表示する。そして、各表示情報セットについては、前述のソートした日時の順に従って、ディスプレイ３３に表示されることになるが、図１９に示すように、情報表示領域Ｇ２のサイズは限られているので、各表示情報セットについては、情報表示領域Ｇ２を上方向にスワイプして、情報を上下方向に適宜スクロールすることにより、表示されることになる。
【０１１９】
＝＝＝第２表示処理＝＝＝
第２表示処理については、端末装置３の制御部３７は、まず、ＳＣ２で取得したデータセットにおいて、図１３の画像内容情報を特定し、特定した画像内容情報が撮像された画像自体を特定する情報（例えば、図１３では図示されていないが、図９の「画像内容情報」＝「Ｆｇ３０１」の如きファイル名）であるか否かを、任意の判定手法（例えば、ファイル名として「Ｆ」を最初の文字として使う等の所定の規則が定められており、当該規則に基づいて、最初の文字が「Ｆ」である場合に撮像された画像自体を特定する情報であるものと判定し、最初の文字が「Ｆ」でない場合に撮像された画像自体を特定する情報でないものと判定する手法等）で判定する。次に、特定した画像内容情報が撮像された画像自体を特定する情報であるものと判定した場合、端末側撮像画像ＤＢ３６７を参照し、当該特定した画像内容情報が特定する画像を取得し、取得した画像を表示入力画面の「メッセージ表示情報」として表示する。一方、特定した画像内容情報が撮像された画像自体を特定する情報でないものと判定した場合、特定した画像内容情報に対応する情報を表示入力画面の「メッセージ表示情報」として表示する。次に、ＳＣ２で取得したデータセットにおいて、図１３の画像入力日時情報、画像既読者情報、及び画像保存状態情報に基づいて、第１表示処理と同様な処理を行って、表示入力画面の「日時表示情報」、「既読表示情報」、及び「保存状態表示情報」を表示する。
【０１２０】
ここでは、例えば、端末装置３０１の制御部３７は、ＳＣ２で取得した図１３の「データＩＤ」＝「ＩＤｄ２０１」に関連付けられているデータセットについては、図１３の「画像内容情報」＝「尿量測定，１０」を特定し、特定した「画像内容情報」＝「尿量測定，１０」が撮像された画像自体を特定する情報でないものと判定し、特定した「画像内容情報」＝「尿量測定，１０」に対応する情報を図２０の表示入力画面の表示情報セットＧ２０３のメッセージ表示情報Ｇ２４として表示する。次に、ＳＣ２で取得した図１３の「データＩＤ」＝「ＩＤｄ２０１」に関連付けられているデータセットにおいて、図１３の「画像入力日時情報」＝「０７２５０９００」、「画像既読者情報」＝「ＩＤｕ２０１」、及び「画像保存状態情報｝＝「未」に基づいて、第１表示処理と同様な処理を行って、図２０の表示情報セットＧ２０３の表示入力画面の「日時表示情報」＝「７月２５日０９時００分」、「既読表示情報」＝「既読：１」、及び「保存状態表示情報」＝「保存：済」を表示する。
【０１２１】
また、例えば、端末装置３０１の制御部３７は、ＳＣ２で取得した図１３の「データＩＤ」＝「ＩＤｄ２０２」に関連付けられているデータセットについても、同様な処理を行うことにより、表示情報セットＧ２０４の情報を表示する。
【０１２２】
＝＝＝第３表示処理＝＝＝
第３表示処理については、端末装置３の制御部３７は、ＳＣ２で取得したデータセットにおいて、図１４のコール理由情報及び応答者情報を特定し、図３のユーザ情報ＤＢ３６１の図４のユーザ情報を参照して、当該特定した応答者情報に関連付けられているユーザ氏名情報を特定し、当該特定したユーザ氏名情報、前述の特定したコール理由情報、及び「ナースコール」という文字を含む情報を、表示入力画面の「メッセージ表示情報」として表示する。次に、ＳＣ２で取得したデータセットにおいて、図１４の応答日時情報、コール既読者情報、及びコール保存状態情報に基づいて、第１表示処理と同様な処理を行って、表示入力画面の「日時表示情報」、「既読表示情報」、及び「保存状態表示情報」を表示する。
【０１２３】
ここでは、例えば、端末装置３０１の制御部３７は、ＳＣ２で取得した図１４の「データＩＤ」＝「ＩＤｄ３０１」に関連付けられているデータセットについては、図１４の「コール理由情報」＝「嘔吐」及び「応答者情報」＝「ＩＤｕ２０２」を特定し、図３のユーザ情報ＤＢ３６１の図４のユーザ情報を参照して、当該特定した「応答者情報」＝「ＩＤｕ２０２」に関連付けられている「ユーザ氏名情報」＝「ＢＢＢ２」を特定し、当該特定した「ユーザ氏名情報」＝「ＢＢＢ２」、前述の特定した「コール理由情報」＝「嘔吐」、及び「ナースコール」という文字を含む情報を、表示入力画面の表示情報セットＧ２０５のメッセージ表示情報Ｇ２４として表示する。次に、ＳＣ２で取得した図１４の「データＩＤ」＝「ＩＤｄ３０１」に関連付けられているデータセットにおいて、図１４の「応答日時情報」＝「０７２５１１３０」、「コール既読者情報」＝「ＩＤｕ２０１」、及び「コール保存状態情報」＝「未」に基づいて、第１表示処理と同様な処理を行って、図２０の表示情報セットＧ２０５の表示入力画面の「日時表示情報」＝「７月２５日１１時３０分」、「既読表示情報」＝「既読：１」、及び「保存状態表示情報」＝「保存：済」を表示する。
【０１２４】
図１７のＳＣ４において端末装置３の制御部３７は、既読信号を送信する。「既読信号」とは、端末側履歴情報の各データセットに対応する情報をディスプレイ３３に表示したことを示す信号である。ＳＣ４の処理について具体的には任意であるが、例えば、端末装置３の制御部３７は、自己の記録部３６に格納されているユーザＩＤを取得し、また、ＳＣ２で取得した「端末側履歴情報」のデータＩＤを取得した上で、これらの取得したユーザＩＤ及びデータＩＤを含む既読信号を生成し、生成した既読信号を通信部３１を介してサーバ装置１に送信する。
【０１２５】
ここでは、例えば、端末装置３０１の制御部３７は、自己の記録部３６に格納されている「ユーザＩＤ」＝「ＩＤｕ２０１」を取得し、また、ＳＣ２で取得した「端末側履歴情報」の「ユーザＩＤ」＝「ＩＤｕ２０１」、及び「データＩＤ」＝「ＩＤｄ１０１」〜「ＩＤｄ１０４」、「ＩＤｄ２０１」、「ＩＤｄ２０２」、「ＩＤｄ３０１」を取得した上で、これらの取得したユーザＩＤ及びデータＩＤを含む既読信号（以下、「例示の既読信号」とも称する）を生成し、生成した既読信号を通信部３１を介してサーバ装置１に送信する。
【０１２６】
一方、図１７のＳＤ１においてサーバ装置１の制御部１４は、既読信号を受信する。具体的には任意であるが、例えば、ＳＣ４２で送信された既読信号を通信部１１を介して受信する。ここでは、例えば、サーバ装置１の制御部１４は、「例示の既読信号」を受信する。
【０１２７】
図１７のＳＤ２においてサーバ装置１の制御部１４は、図８〜図１０の「サーバ側履歴情報」における各既読者情報を格納する。具体的には任意であるが、例えば、「サーバ側履歴ＤＢ」の「サーバ側履歴情報」を参照して、ＳＤ１で受信した既読信号に含まれているデータＩＤと一致するデータＩＤに関連付けられている図８の「スタンプ既読者情報」、図９の「画像既読者情報」、図１０の「コール既読者情報」として、ＳＤ１で受信した既読信号に含まれているユーザＩＤを格納する。
【０１２８】
ここでは、例えば、「サーバ側履歴ＤＢ」の「サーバ側履歴情報」を参照して、ＳＤ１で受信した「例示の既読信号」に含まれている「ユーザＩＤ」＝「ＩＤｕ２０１」、及び「データＩＤ」＝「ＩＤｄ１０１」〜「ＩＤｄ１０４」、「ＩＤｄ２０１」、「ＩＤｄ２０２」、「ＩＤｄ３０１」と一致するデータＩＤに関連付けられている図８の「スタンプ既読者情報」、図９の「画像既読者情報」、図１０の「コール既読者情報」として、ＳＤ１で受信した既読信号に含まれている「ユーザＩＤ」＝「ＩＤｕ２０１」を格納する。
【０１２９】
一方、図１７のＳＣ４の後のＳＣ５において端末装置３の制御部３７は、処理を終了するか否かを判定する。具体的には任意でであるが、例えば、タッチパッド３２又は端末装置３の不図示のハードウエアボタン等を介してユーザによる終了するための所定の操作入力を受け付けたか否かに基づいて判定する。そして、終了するための所定の操作入力を受け付けていない場合、処理を終了しないものと判定し（ＳＣ５のＮＯ）、ＳＣ２に移行して繰り返し処理を実行する。また、終了するための所定の操作入力を受け付けた場合、処理を終了するものと判定し（ＳＣ５のＹＥＳ）、処理を終了する。なお、前述の「ＳＣ５のＮＯ」の後のＳＣ２移行の処理のＳＣ３を再度実行する場合において、前の処理にて既に送信した既読信号に含まれていたデータＩＤと同じデータＩＤについては、既読信号による送信を行わずに（つまり、ＳＣ４をスキップして）、ＳＣ５に移行するように処理してもよい。これにて、情報表示処理を終了する。
【０１３０】
なお、ここでの情報表示処理及び前述の図１６の情報同期処理各々が個別に繰り返し実行されているので、端末装置３０１のユーザ（つまり、「ＩＤｕ２０１」に対応するユーザ）が、例えば、初めて図２０の表示情報セットＧ２０５を表示する場合、図１５の「コール既読情報」には「ＩＤｕ２０１」が記録されていないが、表示情報セットＧ２０５に対応する情報を表示した後に、図１７のＳＣ４、ＳＤ１、ＳＤ２が実行されることにより、図１０のサーバ側看護履歴コール情報の「コール既読情報」に「ＩＤｕ２０１」が記録され、図１６の情報同期処理にて、図１４の端末側看護履歴コール情報の「コール既読情報」に「ＩＤｕ２０１」が記録され、繰り返し実行されるＳＣ２、ＳＣ３に当該図１４の「コール既読情報」＝「ＩＤｕ２０１」が反映されることになるので、図２０の表示情報セットＧ２０５の「既読表示情報」の数値が「１」だけ増加することになる。
【０１３１】
（処理−スタンプ情報格納処理）
次に、スタンプ情報格納処理について説明する。図２１は、スタンプ情報格納処のフローチャートであり、図２２及び図２３は、表示入力画面の表示例である。なお、図２２及び図２３の情報表示領域Ｇ２には、実際には、前述の情報表示処理にて各種情報が表示されることになるが、ここでは説明の便宜上、当該情報の表示については省略されている。「スタンプ情報格納処理」とは、概略的には、端末装置３及びサーバ装置１によって実行される処理であり、具体的には、端末装置３に入力されたスタンプ画像及び数値情報に対応する情報を、サーバ側看護履歴スタンプ情報ＤＢ１３５に格納する処理である。このスタンプ情報格納処理を実行するタイミングは任意であるが、例えば、ユーザがタッチパッド３２を介して図１９のスタンプ等入力ボタンＧ３２をタップし、端末装置３の制御部３７が、当該スタンプ等入力ボタンＧ３２のユーザによるタップ入力を受け付けた場合に実行されることとし、スタンプ情報格納処理が起動したところから説明する。
【０１３２】
図２１のＳＥ１において端末装置３の制御部３７は、スタンプ画像を受け付ける。具体的には任意であるが、例えば、端末装置３の制御部３７は、まず、スタンプ情報格納処理の起動時に、図１９のスタンプ等入力ボタンＧ３２のユーザによるタップ入力を受け付けた場合に、図２２に示すように、表示入力画面の図面下方の所定位置に入力候補表示領域Ｇ４を表示することとし、図３のスタンプ画像ＤＢ３６０のスタンプ画像を全て取得し、図２２に示すように、当該取得したスタンプ画像の少なくとも一部を入力候補表示領域Ｇ４に表示する。
【０１３３】
なお、「入力候補表示領域」Ｇ４とは、端末装置３に入力する候補となる情報（画像を含む）が表示される領域である。なお、図２２に示すように、入力候補表示領域Ｇ４のサイズは限られているので、前述の取得したスタンプ画像を全て表示できない場合において、タッチパッド３２を介してユーザが入力候補表示領域Ｇ４を図面左右方向にスワイプした場合に、制御部３７が当該スワイプの入力を受け付けて、前述の取得したスタンプ画像を所定個数（例えば、６個等）ずつ、前述のスワイプの入力を受け付ける毎に順次切り替えて表示することとする。
【０１３４】
次に、端末装置３の制御部３７は、タッチパッド３２を監視して、入力候補表示領域Ｇ４へのユーザによるタップ入力を受け付け、タップされた位置に対応するスタンプ画像をユーザに選択されたスタンプ画像として受け付ける。
【０１３５】
ここでは、例えば、端末装置３０１の制御部３７は、まず、図３のスタンプ画像ＤＢ３６０のスタンプ画像として図２２のスタンプ画像Ｇ４１（前述した「体温計のスタンプ画像」であって、ファイル名が「Ｆｓ００１」）、スタンプ画像Ｇ４２（前述した「血圧計のスタンプ画像」であって、ファイル名が「Ｆｓ００２」）等を取得し、図２２に示すように、入力候補表示領域Ｇ４に当該取得したスタンプ画像Ｇ４１、Ｇ４２等を表示する。次に、例えば、ユーザがタッチパッド３２を介してスタンプ画像Ｇ４１をタップした場合、端末装置３０１の制御部３７は、タッチパッド３２を監視して、入力候補表示領域Ｇ４へのユーザによる当該タップ入力を受け付け、タップされた位置に対応するスタンプ画像Ｇ４１をユーザに選択されたスタンプ画像として受け付ける（取得する）。
【０１３６】
図２１のＳＥ２において端末装置３の制御部３７は、数値情報を受け付ける。具体的には任意であるが、例えば、ＳＥ１でスタンプ画像を受け付けた後に、図２３に示すように、入力候補表示領域Ｇ４に、「０」〜「９」、「・」（小数点）、「決定」を含む数値入力ボタン（数値を入力するためのボタン）を表示し、タッチパッド３２を監視して、入力候補表示領域Ｇ４へのユーザによるタップ入力を受け付け、タップされた位置に対応する数値入力ボタンに対応する数値情報を受け付ける（取得する）。
【０１３７】
ここでは、例えば、端末装置３０１の制御部３７は、図２２に示すように、入力候補表示領域Ｇ４に、数値入力ボタンを表示する。次に、例えば、ユーザが数値入力ボタンにおける「３」、「６」、「・」、「６」、「決定」ボタンを順次タップした場合、端末装置３０１の制御部３７は、タッチパッド３２を監視して、入力候補表示領域Ｇ４へのユーザによるタップ入力（「決定」ボタンがタップされるまでのタップ入力）を受け付け、タップされた位置に対応する数値入力ボタンに対応する「数値情報」＝「３６．６」を受け付ける（取得する）。
【０１３８】
図２１のＳＥ３において端末装置３の制御部３７は、スタンプ関連信号を送信する。「スタンプ関連信号」とは、端末装置３が受け付けたスタンプ画像及び数値情報に関連する情報を示す信号である。具体的には任意であるが、まず、スタンプ情報格納処理を起動する前提（つまり、図１９の表示入力画面を表示する前提）となる処理である、図１７のＳＣ２の処理と同様の処理を行って、図１８の選択画面でタップされた選択ボタン画像Ｇ１に対応する患者氏名情報に関連付けられている患者ＩＤを特定する。次に、ＳＥ１で受け付けたスタンプ画像のファイル名を特定し、任意の手法（例えば、端末装置３の不図示のタイマーの如き計時手段にアクセスして特定する手法等）で現在の日時を示す現在日時情報を特定する。次に、前述の特定したファイル名、ＳＡ２で受け付けた数値情報、前述の特定した患者ＩＤ、自己の記録部３６に記録されているユーザＩＤ、及び前述の特定した現在日時情報を含むスタンプ関連信号を生成し、生成したスタンプ関連信号を通信部３１を介してサーバ装置１に送信する。
【０１３９】
ここでは、例えば、端末装置３０１の制御部３７は、図１７のＳＣ２の処理と同様の処理を行って、図１８の選択画面でタップされた選択ボタン画像Ｇ１に対応する患者氏名情報である「ＤＤＤ１」に関連付けられている「患者ＩＤ」＝「ＩＤｐ００１」を特定する。次に、ＳＥ１で受け付けたスタンプ画像の「ファイル名」＝「Ｆｓ００１」を特定し、「現在日時情報」＝「０７２４１９００」を特定する。次に、前述の特定した「ファイル名」＝「Ｆｓ００１」、ＳＡ２で受け付けた「数値情報」＝「３６．６」、前述の特定した「患者ＩＤ」＝「ＩＤｐ００１」、自己の記録部３６に記録されている「ユーザＩＤ」＝「ＩＤｕ２０１」、及び前述の特定した「現在日時情報」＝「０７２４１９００」を含むスタンプ関連信号（以下、「例示のスタンプ関連信号」とも称する）を生成して送信する。
【０１４０】
一方、図２１のＳＦ１においてサーバ装置１の第２処理部１４２は、スタンプ関連信号を受信する。具体的には任意であるが、例えば、ＳＥ３で送信されたスタンプ関連信号を通信部１１を介して受信する。ここでは、例えば、前述の「例示のスタンプ関連信号」を含むスタンプ関連信号を受信する。
【０１４１】
図２１のＳＦ２においてサーバ装置１の第２処理部１４２は、図８のサーバ側看護履歴スタンプ情報を格納する。具体的には任意であるが、例えば、ＳＦ１で受信したスタンプ関連信号に含まれている「ファイル名」、「数値情報」、「患者ＩＤ」、「ユーザＩＤ」、及び「現在日時情報」を取得し、サーバ側看護履歴スタンプ情報ＤＢ１３５において、図８の「入力スタンプ画像特定情報」、「入力数値情報」、「患者ＩＤ」、「スタンプ記録者情報」、及び「スタンプ入力日時情報」として、前述の取得した「ファイル名」、「数値情報」、「患者ＩＤ」、「ユーザＩＤ」、及び「現在日時情報」を格納し、また、図８のスタンプ保存状態として「未」を格納し、また、「データＩＤ」として唯一となるデータＩＤを生成して格納する。なお、ここでは、図８のスタンプ既読者情報については、何らの情報も格納されないことになる。ここでは、例えば、図８の「データＩＤ」＝「ＩＤｄ１０１」に関連付けられているデータセット（スタンプ既読者情報は除く）が格納されることになる。
【０１４２】
図２１のＳＦ３においてサーバ装置１の第２処理部１４２は、通知信号を送信する。「通義信号」とは、「サーバ側履歴ＤＢ」に新たな情報が格納されたことを端末装置３側に通知するための信号である。具体的には任意であるが、第２処理部１４２は、例えば、ＳＦ１で受信したスタンプ関連信号に含まれているユーザＩＤ及び患者ＩＤを取得し、図６のグループ情報を参照して、当該取得した患者ＩＤに関連付けられているユーザＩＤの内の、前述の取得したユーザＩＤ以外のユーザＩＤを特定し、特定したユーザＩＤを含む通知信号を端末装置３に送信する。ここでは、例えば、ＳＦ１で受信したスタンプ関連信号に含まれている「ユーザＩＤ」＝「ＩＤｕ２０１」及び「患者ＩＤ」＝「ＩＤｐ００１」を取得し、図６のグループ情報を参照して、当該取得した「患者ＩＤ」＝「ＩＤｐ００１」に関連付けられている「ユーザＩＤ」＝「ＩＤｕ００１」、「ＩＤｕ２０１」、「ＩＤｕ２０３」の内の、前述の取得した「ユーザＩＤ」＝「ＩＤｕ２０１」以外の「ユーザＩＤ」＝「ＩＤｕ００１」、「ＩＤｕ２０３」を特定し、特定した「ユーザＩＤ」＝「ＩＤｕ００１」、「ＩＤｕ２０３」を含む通知信号を端末装置３に送信する。
【０１４３】
一方、各端末装置３の制御部３７は、当該通知信号を受信し、通知信号に含まれているユーザＩＤを取得し、自己の記録部３６に記録されているユーザＩＤと当該取得したユーザＩＤとを比較し、取得したユーザＩＤに自己の記録部３６に記録されているユーザＩＤが含まれているか否かを判定し、含まれているものと判定した場合にのみ、端末装置３のユーザが担当する患者についての新たな「サーバ側履歴情報」又は「端末側履歴情報」が存在することを示す情報を出力する。ここでは、例えば、端末装置３０２の記録部３６に「ユーザＩＤ」＝「ＩＤｕ００１」が記録されているので、端末装置３０２の制御部３７は通知メッセージ（「新たな看護情報が記録されました。確認して下さい」等のメッセージ）を、ディスプレイ３３又は通話部３４のスピーカ等を介して出力することにより、新たな「サーバ側履歴情報」又は「端末側履歴情報」が存在することを示す情報を出力する。また、不図示であるが、「ユーザＩＤ」＝「ＩＤｕ２０３」を格納して端末装置３についても、同様にして、新たな「サーバ側履歴情報」又は「端末側履歴情報」が存在することを示す情報を出力する。なお、この場合、端末装置３０１、３０３については、通知信号を受信するものの、何らの情報も出力しないことになる。これにて、スタンプ情報格納処理を終了する。
【０１４４】
（処理−画像情報格納処理）
次に、画像情報格納処理について説明する。図２４は、画像情報格納処理のフローチャートであり、図２５は表示入力画面の表示例であり、図２６は、確認画面の表示例である。「画像情報格納処理」とは、概略的には、端末装置３及びサーバ装置１によって実行される処理であり、具体的には、端末装置３で撮像された撮像画像に対応する情報を、サーバ側看護履歴画像情報ＤＢ１３６に格納する処理である。この画像情報格納処理を実行するタイミングは任意であるが、例えば、ユーザがタッチパッド３２を介して図１９のカメラ起動ボタンＧ３１をタップし、端末装置３の制御部３７が、当該カメラ起動ボタンＧ３１のユーザによるタップ入力を受け付けた場合に実行されることとし、画像情報格納処理が起動したところから説明する。
【０１４５】
図２４のＳＧ１において端末装置３の制御部３７は、撮像画像を受け付ける。具体的には任意であるが、例えば、まず、画像情報格納処理の起動時に、図１９のカメラ起動ボタンＧ３１のユーザによるタップ入力を受け付けた場合に、図３の撮像部３５を起動して、図２５に示すように、撮像部３５のイメージセンサで捉えた画像を、ディスプレイ３３の表示入力画面の情報表示領域Ｇ２に表示し、また、撮像ボタンＧ３３を表示することとする。「撮像ボタン」Ｇ３３とは、画像を撮像するためのボタンである。そして、端末装置３の制御部３７は、タッチパッド３２を監視して、図２５の撮像ボタンＧ３３のユーザによるタップ入力を受け付けた場合に、撮像部３５のイメージセンサで捉えている画像を撮像し、撮像した画像を撮像画像として受け付ける。
【０１４６】
ここでは、例えば、図２５に示すように、端末装置３０１が患者の採尿パックに向けられて、端末装置３０１の撮像部３５のイメージセンサが採尿パックの画像を捉えている場合において、ユーザが撮像ボタンＧ３３をタップした場合、端末装置３０１の制御部３７は、撮像部３５のイメージセンサで捉えている採尿パックの画像である撮像画像Ｇ５０を撮像し、撮像した撮像画像Ｇ５０を受け付ける（取得する）。
【０１４７】
図２４のＳＧ２において端末装置３の制御部３７は、撮像画像を格納する。具体的には任意であるが、例えば、ＳＧ１で撮像した撮像画像に、一意となるファイル名を付して、端末側撮像画像ＤＢ３６７に格納する。ここでは、例えば、端末装置３０１の制御部３７は、ＳＧ１で撮像した撮像画像Ｇ５０に、「ファイル名」＝「Ｆｇ２０１」を付して、端末側撮像画像ＤＢ３６７に格納する。
【０１４８】
図２４のＳＧ３において端末装置３の制御部３７は、端末側第１撮像画像関連信号を送信する。「端末側第１撮像画像関連信号」とは、端末装置３が撮像した撮像画像をサーバ装置１に送信するための信号である。具体的には任意であるが、まず、図２１のＳＥ３の場合と同様にして、画像情報格納処理を起動する前提（つまり、図１９の表示入力画面を表示する前提）となる処理である、図１７のＳＣ２の処理と同様の処理を行って図１８の選択画面でタップされた選択ボタン画像Ｇ１に対応する患者氏名情報に関連付けられている患者ＩＤを特定する。次に、図２１のＳＥ３の場合と同様にして、現在日時情報を特定する。次に、ＳＧ２で格納した一意となるファイル名が付されている撮像画像、前述の特定した患者ＩＤ、自己の記録部３６に記録されているユーザＩＤ、及び前述の特定した現在日時情報を含む端末側第１撮像画像関連信号を生成し、生成した端末側第１撮像画像関連信号を通信部３１を介してサーバ装置１に送信する。
【０１４９】
ここでは、例えば、端末装置３０１の制御部３７は、図２１のＳＥ３の場合と同様にして、「患者ＩＤ」＝「ＩＤｐ００１」及び「現在日時情報」＝「０７２５１０００」を特定する。次に、ＳＧ２で格納した撮像画像Ｇ５０（ファイル名は「Ｆｇ２０１」）、前述の特定した「患者ＩＤ」＝「ＩＤｐ００１」、自己の記録部３６に記録されている「ユーザＩＤ」＝「ＩＤｕ２０１」、及び前述の特定した「現在日時情報」＝「０７２５１０００」を含む端末側第１撮像画像関連信号（以下、「例示の端末側第１撮像画像関連信号」とも称する）を生成して送信する。
【０１５０】
一方、図２４のＳＨ１においてサーバ装置１の第３処理部１４３は、端末側第１撮像画像関連信号を受信する。具体的には任意であるが、例えば、ＳＧ３で送信された端末側第１撮像画像関連信号を通信部１１を介して受信する。ここでは、例えば、前述の「例示の端末側第１撮像画像関連信号」を受信する。
【０１５１】
図２４のＳＨ２においてサーバ装置１の第３処理部１４３は、ＳＨ１で受信した端末側第１撮像画像関連信号に含まれている撮像画像について画像認識を行うことにより、撮像画像に写っている撮像対象及び当該撮像対象に関する情報を特定する。具体的には任意であるが、例えば、撮像対象として、採尿パック、点滴パック、及びその他（例えば、患者の身体の褥瘡が発生した部位等）が想定されることとし、採尿パック及び点滴パックの画像を教師データとして用いて、教師有り機械学習を事前に行うことにより、画像認識を行うための画像認識用モデル（例えば、画像を入力した場合に、撮像対象が採尿パック、点滴パック、又はその他（採尿パック及び点滴パック以外）の何れであるかを認識し、採尿パック又は点検パックを認識した場合には、当該採尿パックに貯留されている尿の量又は当該点滴パックに貯留されている薬液の量も認識し、これらの認識結果を示す情報（つまり、当該入力された画像に写っている撮像対象が採尿パック、点滴パック、又はその他（採尿パック及び点滴パック以外）の何れであるかを示す情報、採尿パックの尿量又は点滴パックの薬液の量を示す情報）を出力するモデル）を予め生成して、当該画像認識用モデルが記録部１３に記録されていることとする。そして、第３処理部１４３は、ＳＨ１で受信した端末側第１撮像画像関連信号に含まれている撮像画像を取得し、取得した撮像画像を画像認識用モデルに入力し、画像認識用モデルから出力される情報を取得し、取得した情報が「撮像対象」＝「採尿パック」を示し且つ「尿の量」＝「ｘｘ（ｍｌ）」を示す場合、撮像画像に写っている撮像対象として採尿パックを特定し、また、当該採尿パックに貯留されている尿の量として「ｘｘ（ｍｌ）」を特定する。また、前述の取得した情報が「撮像対象」＝「点滴パック」を示し且つ「薬液の量」＝「ｘｘ（ｍｌ）」を示す場合、撮像画像に写っている撮像対象として点滴パックを特定し、また、当該点滴パックに貯留されている薬液の量として「ｘｘ（ｍｌ）」を特定する。また、前述の取得した情報が「撮像対象」＝「その他」を示す場合、撮像画像に写っている撮像対象として採尿パック及び点滴パック以外（つまり、その他）を特定する。
【０１５２】
ここでは、例えば、ＳＨ１で受信した「例示の端末側第１撮像画像関連信号」に含まれている撮像画像Ｇ５０を取得し、取得した撮像画像Ｇ５０を画像認識用モデルに入力し、この場合、画像認識用モデルから出力される情報として「撮像対象」＝「採尿パック」を示し且つ「尿の量」＝「１５（ｍｌ）」を示す情報を取得し、撮像画像に写っている撮像対象として採尿パックを特定し、また、当該採尿パックに貯留されている尿の量として「１５（ｍｌ」を特定する。
【０１５３】
図２４のＳＨ３においてサーバ装置１の第３処理部１４３は、サーバ側看護履歴画像情報ＤＢ１３６において、ＳＨ１で受信した端末側第１撮像画像関連信号に含まれている撮像画像と同種の撮像画像に対応する図９の画像内容情報が存在するか否かを判定する。具体的には任意であるが、例えば、まず、ＳＨ１で受信した端末側第１撮像画像関連信号に含まれている現在日時情報を取得し、図９のサーバ側看護履歴画像情報において、当該取得した現在日時情報が特定する日時と、当該日時から所定時間（例えば、６時間〜７時間等）過去の日時との間の日時に該当する画像入力日時情報を特定し、特定した画像入力日時情報に関連付けられている画像内容情報を取得する。そして、ＳＨ２で特定した撮像対象が「採尿パック」である場合において、前述の取得した画像内容情報が「尿量測定」を含まない場合、ＳＨ２で特定した撮像対象が「点滴パック」である場合において、前述の取得した画像内容情報が「点滴量測定」を含まない場合、あるいは、図９のサーバ側看護履歴画像情報において、前述の現在日時情報が特定する日時と、当該日時から所定時間（例えば、６時間〜７時間等）過去の日時との間の日時に該当する画像入力日時情報が存在しない場合、ＳＨ１で受信した端末側第１撮像画像関連信号に含まれている撮像画像と同種の撮像画像に対応する画像内容情報が存在しないものと判定し（ＳＨ３のＮＯ）、ＳＨ５に移行する。また、ＳＨ２で特定した撮像対象が「採尿パック」である場合において、前述の取得した画像内容情報が「尿量測定」を含む場合、ＳＨ２で特定した撮像対象が「点滴パック」である場合において、前述の取得した画像内容情報が「点滴量測定」を含む場合、ＳＨ１で受信した端末側第１撮像画像関連信号に含まれている撮像画像と同種の撮像画像に対応する画像内容情報が存在するものと判定し（ＳＨ３のＹＥＳ）、ＳＨ４に移行する。
【０１５４】
ここでは、例えば、サーバ側看護履歴画像情報ＤＢ１３６において、ＳＨ１で受信した「例示の端末側第１撮像画像関連信号」に含まれている撮像画像Ｇ５０と同種の撮像画像に対応する図９の画像内容情報が存在するか否かを判定する。具体的には任意であるが、例えば、まず、ＳＨ１で受信した「例示の端末側第１撮像画像関連信号」に含まれている「現在日時情報」＝「０７２５１０００」を取得し、図９のサーバ側看護履歴画像情報において、当該取得した「現在日時情報」＝「０７２５１０００」が特定する日時と、当該日時から所定時間（例えば、６時間〜７時間等）過去の日時との間の日時に該当する「画像入力日時情報」＝「０７２５０９００」を特定し、特定した「画像入力日時情報」＝「０７２５０９００」に関連付けられている「画像内容情報」＝「尿量測定，１０」を取得する。そして、ＳＨ２で特定した撮像対象が「採尿パック」であり、且つ、前述の取得した画像内容情報が「尿量測定」を含んでいるので、ＳＨ１で受信した端末側第１撮像画像関連信号に含まれている撮像画像と同種の撮像画像に対応する画像内容情報が存在するものと判定する。
【０１５５】
図２４のＳＨ４においてサーバ装置１の第３処理部１４３は、差分を演算する。具体的には任意であるが、例えば、ＳＨ２で特定した撮像対象が「採尿パック」である場合、ＳＨ３で判定のために取得した画像内容情報の内の「尿量測定」を含む画像内容情報において、最も直近の画像入力日時情報（つまり、ＳＨ１で受信した端末側第１撮像画像関連信号に含まれている「現在日時情報」に最も近い画像入力日時情報）に関連付けられている画像内容情報を特定し、特定した画像内容情報が示す尿の量と、ＳＨ２で特定した尿の量との差分を演算する。また、ＳＨ２で特定した撮像対象が「点滴パック」である場合、ＳＨ３で判定のために取得した画像内容情報の内の「点滴量測定」を含む画像内容情報において、最も直近の画像入力日時情報に関連付けられている画像内容情報を特定し、特定した画像内容情報が示す薬液の量と、ＳＨ２で特定した薬液の量との差分を演算する。
【０１５６】
ここでは、例えば、ＳＨ２で特定した撮像対象が「採尿パック」であるので、ＳＨ３で判定のために取得した画像内容情報の内の「尿量測定」を含む画像内容情報において、最も直近の画像入力日時情報に関連付けられている「画像内容情報」＝「尿量測定，１０」を特定し、特定した「画像内容情報」＝「尿量測定，１０」が示す「尿の量」＝「１０（ｍｌ）」と、ＳＨ２で特定した「尿の量」＝「１５（ｍｌ）」との差分として「５（ｍｌ）」を演算する。
【０１５７】
図２４のＳＨ５においてサーバ装置１の第３処理部１４３は、サーバ側撮像画像関連信号を送信する。「サーバ側撮像画像関連信号」とは、端末装置３が撮像した撮像画像に関してサーバ装置１側で特定した情報等を端末装置３に送信するための信号である。具体的には任意であるが、ＳＨ１で受信した端末側第１撮像画像関連信号に含まれている各情報及びＳＨ２の特定結果を取得し、また、実行した場合にはＳＨ４の演算結果を取得し、取得した情報、特定結果、及び演算結果を含むサーバ側撮像画像関連信号を生成し、生成したサーバ側撮像画像関連信号を通信部１１を介して端末装置３に送信する。
【０１５８】
ここでは、例えば、ＳＨ１で受信した「例示の端末側第１撮像画像関連信号」に含まれている撮像画像Ｇ５０、「患者ＩＤ」＝「ＩＤｐ００１」、「ユーザＩＤ」＝「ＩＤｕ２０１」、「現在日時情報」＝「０７２５１０００」、ＳＨ２の特定結果である「撮像対象」＝「採尿パック」及び「尿の量」＝「１５（ｍｌ）」、及びＳＨ４の「演算結果」＝「５（ｍｌ）」含むサーバ側撮像画像関連信号（以下、「例示のサーバ側撮像画像関連信号」とも称する）を生成して送信する。
【０１５９】
一方、図２４のＳＧ４において端末装置３の制御部３７は、サーバ側撮像画像関連信号を受信する。具体的には任意であるが、通信部３１を介して端末装置３に到達するＳＨ５で送信されたサーバ側撮像画像関連信号に含まれるユーザＩＤを取得し、取得したユーザＩＤと自己の記録部３６に記録されているユーザＩＤとを比較し、これらのユーザＩＤが相互に一致する場合に、サーバ側撮像画像関連信号を受信する。
【０１６０】
ここでは、例えば、端末装置３０１の制御部３７は、通信部３１を介して端末装置３に到達するＳＨ５で送信されたサーバ側撮像画像関連信号に含まれる「ユーザＩＤ」＝「ＩＤｕ２０１」を取得し、取得した「ユーザＩＤ」＝「ＩＤｕ２０１」と自己の記録部３６に記録されている「ユーザＩＤ」＝「ＩＤｕ２０１」とが相互に一致するので、前述の「例示のサーバ側撮像画像関連信号」を受信する。
【０１６１】
図２４のＳＧ５において端末装置３の制御部３７は、確認画面をディスプレイ３３に表示する。
【０１６２】
「確認画面」とは、端末装置３が撮像した撮像画像に関してサーバ装置１側で特定した情報等を表示してユーザに確認させるための画面であり、例えば、図２６に示すように、特定結果表示領域Ｇ５１、及び制御ボタン表示領域Ｇ５２を含む画面である。「特定結果表示領域」Ｇ５１とは、端末装置３が撮像した撮像画像に関してサーバ装置１側で特定した情報が表示される領域である。「制御ボタン表示領域」Ｇ５２とは、端末装置３に対して制御命令を入力するための「はい」ボタン、及び「いいえ（再撮像）」ボタンが表示されている領域である。
【０１６３】
ＳＧ５の処理について具体的には任意であるが、例えば、制御部３７は、ＳＧ４で受信したサーバ側撮像画像関連信号に含まれているＳＨ２の特定結果及び（存在する場合には）ＳＨ４の演算結果を取得し、取得した特定結果等に対応する情報を、図２６の特定結果表示領域Ｇ５１に表示する。
【０１６４】
ここでは、例えば、端末装置３０１の制御部３７は、ＳＧ４で受信したサーバ側撮像画像関連信号に含まれているＳＨ２の特定結果である「撮像対象」＝「採尿パック」及び「尿の量」＝「１５（ｍｌ）」及びＳＨ４の「演算結果」＝「５（ｍｌ）」を取得し、「撮像対象」＝「採尿パック」に対応する情報として図２６の「撮像対象：採尿パック」を表示し、「尿の量」＝「１５（ｍｌ）」に対応する情報として図２６の「貯留量（ｍｌ）：１５」を表示し、「演算結果」＝「５（ｍｌ）」に対応する情報として図２６の「差分量（ｍｌ）：５」を表示する。
【０１６５】
なお、ここでは具体的には例示されていないが、ＳＧ４で受信したサーバ側撮像画像関連信号に含まれているＳＨ２の特定結果が「撮像対象」＝「点滴パック」である場合も、前述の「撮像対象」＝「点滴パック」の場合と同様にして表示する。一方、ＳＧ４で受信したサーバ側撮像画像関連信号に含まれているＳＨ２の特定結果が「撮像対象」＝「その他」である場合（つまり、ＳＨ２で撮像対象として「その他」を特定した場合）、図２６の特定結果表示領域Ｇ５１に「撮像対象：その他」とＳＧ４で受信したサーバ側撮像画像関連信号に含まれている撮像画像を表示することとしてもよい。
【０１６６】
図２４のＳＧ６において端末装置３の制御部３７は、情報を格納するか否かを判定する。具体的には任意であるが、タッチパッド３２を監視して、図２６の制御ボタン表示領域Ｇ５２の何れのボタンへのユーザによるタップ入力を受け付けたかに基づいて判定する。そして、図２６の「いいえ（再撮像）」ボタンへのタップ入力を受け付けた場合、情報を格納しないものと判定し、ＳＧ１に移行する。また、図２６の「はい」ボタンへのタップ入力を受け付けた場合、情報を格納するものと判定し、ＳＧ７に移行する。ここでは、例えば、端末装置３０１のユーザが図２５の「はい」ボタンをタップした場合、「はい」ボタンへのタップ入力を受け付け、情報を格納するものと判定する。
【０１６７】
図２４のＳＧ７において端末装置３の制御部３７は、端末側第２撮像画像関連信号を送信する。「端末側第２撮像画像関連信号」は、サーバ装置１側に格納する情報を特定する信号であり、例えば、サーバ側撮像画像関連信号と同様な情報を含む信号である。具体的には任意であるが、ＳＧ４で受信したサーバ側撮像画像関連信号に含まれている各情報を取得し、取得した各情報を含む端末側第２撮像画像関連信号を生成し、生成した端末側第２撮像画像関連信号を通信部３１を介してサーバ装置１に送信する。ここでは、例えば、撮像画像Ｇ５０、「患者ＩＤ」＝「ＩＤｐ００１」、「ユーザＩＤ」＝「ＩＤｕ２０１」、「現在日時情報」＝「０７２５１０００」、ＳＨ２の特定結果である「撮像対象」＝「採尿パック」及び「尿の量」＝「１５（ｍｌ）」、及びＳＨ４の「演算結果」＝「５（ｍｌ）」を含む端末側第２撮像画像関連信号（以下、「例示の端末側第２撮像画像関連信号」とも称する）を生成して送信する。
【０１６８】
一方、図２４のＳＨ６においてサーバ装置１の第３処理部１４３は、端末側第２撮像画像関連信号を受信する。具体的には任意であるが、例えば、ＳＧ７で送信された端末側第２撮像画像関連信号を通信部１１を介して受信する。ここでは、例えば、前述の「例示の端末側第２撮像画像関連信号」を受信する。
【０１６９】
図２４のＳＨ７においてサーバ装置１の第３処理部１４３は、図９のサーバ側看護履歴画像情報を格納する。具体的には任意であるが、例えば、まず、ＳＨ６で受信した端末側第２撮像画像関連信号に含まれている撮像画像を取得し、取得した撮像画像をサーバ側撮像画像ＤＢ１３８に格納する。次に、ＳＨ６で受信した端末側第２撮像画像関連信号に含まれているＳＨ２の特定結果及び（存在する場合には）ＳＨ４の「演算結果」を取得し、取得したＳＨ２の特定結果の「撮像対象」が「その他」である場合（つまり、ＳＨ２で撮像対象として「その他」を特定した場合）、ＳＨ６で受信した端末側第２撮像画像関連信号に含まれている撮像画像のファイル名を特定し、サーバ側看護履歴画像情報ＤＢ１３６の図９の画像内容情報として、当該特定したファイル名を格納し、また、取得したＳＨ２の特定結果の「撮像対象」が「採尿パック」である場合、サーバ側看護履歴画像情報ＤＢ１３６の図９の画像内容情報として、「尿量測定」という文字の情報と当該取得したＳＨ２の特定結果の「尿の量」及び（存在する場合には）取得したＳＨ４の「演算結果」を示す情報を格納し、また、取得したＳＨ２の特定結果の「撮像対象」が「点滴パック」である場合、サーバ側看護履歴画像情報ＤＢ１３６の図９の画像内容情報として、「点滴量測定」という文字の情報と当該取得したＳＨ２の特定結果の「薬液の量」及び（存在する場合には）取得したＳＨ４の「演算結果」を示す情報を格納する。次に、ＳＨ６で受信した端末側第２撮像画像関連信号に含まれている「患者ＩＤ」、「ユーザＩＤ」、及び「現在日時情報」を取得し、サーバ側看護履歴画像情報ＤＢ１３６において、図９の「患者ＩＤ」、「画像記録者情報」、及び「画像入力日時情報」として、前述の取得した「患者ＩＤ」、「ユーザＩＤ」、及び「現在日時情報」を格納し、また、図９の画像保存状態として「未」を格納し、また、「データＩＤ」として唯一となるデータＩＤを生成して格納する。なお、ここでは、図９の画像既読者情報については、何らの情報も格納されないことになる。ここでは、例えば、図９の「データＩＤ」＝「ＩＤｄ２０２」に関連付けられているデータセット（画像既読者情報は除く）が格納されることになる。
【０１７０】
図２４のＳＨ８においてサーバ装置１の第３処理部１４３は、図２１のＳＦ３と同様にして、通知信号を送信し、端末装置３は、図２１のＳＦ３で説明した場合と同様な処理を行う。これにて、画像情報格納処理を終了する。
【０１７１】
（処理−コール情報格納処理）
次に、コール情報格納処理について説明する。図２７は、コール情報格納処理のフローチャートである。「コール情報格納処理」とは、概略的には、端末装置３及びサーバ装置１によって実行される処理であり、具体的には、ナースコールシステムの子機２からの呼び出しに応答したことに関する情報をサーバ側看護履歴コール情報ＤＢ１３７に格納する処理である。
【０１７２】
このコール情報格納処理を実行するタイミングは任意であるが、例えば、端末装置３がナースコールシステムから呼出信号を受け付けて、当該呼出信号に応答した場合に実行されることとし、コール情報格納処理が起動したところから説明する。なお、端末装置３がナースコールシステムから呼出信号を受け付けて、当該呼出信号に応答する処理としては公知の処理を適用することができるので、概要のみ説明する。
【０１７３】
具体的には、まず、患者が子機２の不図示の呼び出しボタンを押下した場合に、子機２の制御部が、自己の記録部に記録されている子機ＩＤを含む呼出信号（子機２に割り当てられている患者がナースコールを行っていることを示す信号）をナースコール制御装置２００に自己の通信部を介して送信する。ここでは、例えば、患者である「ＤＤＤ１」が子機２０１の不図示の呼び出しボタンを押下した場合に、子機２０１の制御部が、自己の記録部に記録されている「子機ＩＤ」＝「ＩＤｃ００１」を含む呼出信号をナースコール制御装置２００に送信する。
【０１７４】
次に、ナースコール制御装置２００の制御部２３が、子機２から送信された呼出信号を受信し、受信した呼出信号に含まれている子機ＩＤを取得し、図１１の子機患者対応情報を参照して、前述の取得した子機ＩＤに関連付けられている患者ＩＤ、患者氏名情報、病名情報、部屋名情報、及びベッド情報を特定し、特定したこれらの情報を、前述の受信した呼出信号に含まれる情報として付加し、当該情報が付加された呼出信号（つまり、子機ＩＤ、患者ＩＤ、患者氏名情報、病名情報、部屋名情報、及びベッド情報を含む信号）を、通信部２１を介して全ての端末装置３に対して送信する。ここでは、例えば、ナースコール制御装置２００の制御部２３が、子機２０１から送信された呼出信号を受信し、受信した呼出信号に含まれている「子機ＩＤ」＝「ＩＤｃ００１」を取得し、図１１の子機患者対応情報を参照して、前述の取得した「子機ＩＤ」＝「ＩＤｃ００１」に関連付けられている「患者ＩＤ」＝「ＩＤｐ００１」、「患者氏名情報」＝「ＤＤＤ１」、「病名情報」＝「糖尿病」、「部屋名情報」＝「７０２号室」、及び「ベッド情報」＝「１番」を特定し、特定したこれらの情報を、前述の受信した呼出信号に含まれる情報として付加し、当該情報が付加された呼出信号（つまり、図１１の最上段の情報を全て含む信号）（以下、「例示の呼出信号」とも称す）を全ての端末装置３に対して送信する。
【０１７５】
次に、端末装置３の第１処理部１４１は、ナースコール制御装置２００から送信された呼出信号を通信部３１を介して受信した場合に、受信した呼出信号に含まれている患者の情報（例えば、患者氏名情報、部屋名情報、及びベッド情報等）を、自己のディスプレイ３３又は通話部３４のスピーカを介して出力することにより、子機２からの呼び出しがあることを、端末装置３のユーザに報知し、タッチパッド３２を介してユーザからの所定操作（例えば、ディスプレイ３３に表示されている「通話ボタン」をタップする操作等）を受け付けた場合に、子機２からの呼び出しに応答して、子機２と当該応答した端末装置３との間でナースコール制御装置２００を介して行われる通話が開始されることになり、この場合に当該応答する端末装置３（つまり、「通話ボタン」をタップ操作を受け付けた端末装置３）でコール情報格納処理が起動されることになる。ここでは、例えば、端末装置３０１〜３０３等の第１処理部１４１は、ナースコール制御装置２００から送信された「例示の呼出信号」を受信した場合に、受信した「例示の呼出信号」に含まれている患者の情報（例えば、「患者氏名情報」＝「ＤＤＤ１」、「部屋名情報」＝「７０２号室」、及び「ベッド情報」＝「１番」等）を、自己のディスプレイ３３又は通話部３４のスピーカを介して出力することにより、自己のディスプレイ３３又は通話部３４のスピーカを介して子機２０１からの呼び出しがあることを、端末装置３０１〜３０３のユーザに報知し、端末装置３０１〜３０３の内の端末装置３０３の制御部３７が、タッチパッド３２を介してユーザからの所定操作を受け付けた場合に、端末装置３０３が子機２０１からの呼び出しに応答して、子機２０１と当該応答した端末装置３０３との間でナースコール制御装置２００を介して行われる通話が開始されることになり、この場合に当該応答する端末装置３０３でコール情報格納処理が起動されることになる。
【０１７６】
図２７のＳＩ１において端末装置３の制御部３７は、コール情報格納処理の起動時に開始した通話が終了したか否かを判定する。具体的には任意であり公知の技術を適用することができるが、例えば、記録部３６に通話状態情報が格納されていることとし、この通話状態情報に基づいて判定する。「通話状態情報」とは、端末装置３が通話中の状態であるか否かを示すフラグ情報であり、例えば、通信部３１を介して行われる通話の状態に応じて制御部３７によって適宜記録される情報である。そして、端末装置３が通話中の状態であることを通話状態情報が示している場合、コール情報格納処理の起動時に開始した通話が終了していないものと判定し（ＳＩ１のＮＯ）、コール情報格納処理の起動時に開始した通話が終了したものと判定するまで、ＳＩ１を繰り返し実行する。また、端末装置３が通話中の状態でないことを通話状態情報が示している場合、コール情報格納処理の起動時に開始した通話が終了したものと判定し（ＳＩ１のＹＥＳ）、ＳＩ２に移行する。
【０１７７】
ここでは、例えば、端末装置３０３のユーザが、タッチパッド３２を介して「終了ボタン」をタップした場合、端末装置３０３の記録部３６の話状態情報は、通話中の状態でないことを示すことになることとし、端末装置３０３の制御部３７は、コール情報格納処理の起動時に開始した通話が終了したものと判定する。
【０１７８】
図２７のＳＩ２において端末装置３の制御部３７は、コール理由情報を受け付ける。具体的には任意であるが、例えば、ＳＩ１で通話が終了したものと判定した後に、ディスプレイ３３にコール理由情報入力画面を表示し、タッチパッド３２を介して行われる当該コール理由情報入力画面の入力欄へのユーザからの、患者がナースコールを行った理由を示すテキスト情報の入力を受け付けて、当該受け付けたテキスト情報をコール理由情報を受け付ける。なお、「コール理由情報入力画面」とは、患者がナースコールを行った理由を入力するための画面であり、当該理由のテキスト情報を入力するための入力欄を含む画面である。
【０１７９】
ここでは、例えば、端末装置３０３のユーザが、通話終了後にディスプレイ３３に表示されるコール理由情報入力画面の入力欄に、タッチパッド３２を介して、ナースコールの理由として「嘔吐」と入力した場合、端末装置３０３の制御部３７は、当該入力された「嘔吐」を受け付けて、当該受け付けた「嘔吐」というテキスト情報をコール理由情報を受け付ける。
【０１８０】
図２７のＳＩ３において端末装置３の制御部３７は、ナースコール応答関連信号を送信する。「ナースコール応答関連信号」とは、ナースコールシステムの子機２からの呼び出しに応答したことを示す信号である。具体的には任意であるが、まず、制御部３７がコール情報格納処理の起動時に、端末装置３の計時手段の計時結果に基づいて、タッチパッド３２を介してユーザからの所定操作（例えば、ディスプレイ３３に表示されている「通話ボタン」をタップする操作等）を受け付けた日時を特定して、当該特定した日時を示す通話開始日時情報（ナースコールの通話を開始した時間を示す情報）を記録部３６に記録するように構成されていることとする。そして、制御部３７は、通話開始日時情報を取得し、また、コール情報格納処理の起動時に受信した呼出信号に含まれている患者ＩＤを取得し、また、ＳＩ２で受け付けたコール理由情報を取得し、また、自己の記録部３６に記録されているユーザＩＤを取得した上で、当該取得した患者ＩＤ、コール理由情報、通話開始日時情報、及びユーザＩＤを含むナースコール応答関連信号を生成し、生成したナースコール応答関連信号を通信部３１を介してサーバ装置１に送信する。なお、ここでの、ナースコール応答関連信号に含まれて情報が「応答特定情報」に相当する。
【０１８１】
ここでは、例えば、端末装置３０３のユーザが、７月２５日１１時３０分にナースコールの通話を開始した場合、通話開始日時情報としては「０７２５１１３０」が記録されていることになるので、端末装置３０３の制御部３７は、「通話開始日時情報」＝「０７２５１１３０」を取得し、また、コール情報格納処理の起動時に受信した呼出信号に含まれている「患者ＩＤ」＝「ＩＤｐ００１」を取得し、また、ＳＩ２で受け付けた「コール理由情報」＝「嘔吐」を取得し、また、自己の記録部３６に記録されている「ユーザＩＤ」＝「ＩＤｕ２０２」を取得した上で、当該取得した「患者ＩＤ」＝「ＩＤｐ００１」、「コール理由情報」＝「嘔吐」、「通話開始日時情報」＝「０７２５１１３０」、及び「ユーザＩＤ」＝「ＩＤｕ２０２」を含むナースコール応答関連信号（以下、「例示のナースコール応答関連信号」とも称する）を生成してサーバ装置１に送信する。
【０１８２】
一方、図２７のＳＪ１においてサーバ装置１の第１処理部１４１は、ナースコール応答関連信号を受信する。具体的には任意であるが、例えば、ＳＩ３で送信されたナースコール応答関連信号を通信部１１を介して受信する。ここでは、例えば、前述の「例示のナースコール応答関連信号」を受信する。
【０１８３】
図２７のＳＪ２においてサーバ装置１の第１処理部１４１は、図１０のサーバ側看護履歴コール情報を格納する。具体的には任意であるが、例えば、ＳＪ１で受信したナースコール応答関連信号に含まれている「患者ＩＤ」、「コール理由情報」、「通話開始日時情報」、及び「ユーザＩＤ」を取得し、サーバ側看護履歴コール情報ＤＢ１３７において、図１０の「患者ＩＤ」、「コール理由情報」、「応答日時情報」、及び「応答者情報」として、前述の取得した「患者ＩＤ」、「コール理由情報」、「通話開始日時情報」、及び「ユーザＩＤ」を格納し、また、図１０のサーバ側看護履歴コール情報として「未」を格納し、また、「データＩＤ」として唯一となるデータＩＤを生成して格納する。なお、ここでは、図１０のコール既読者情報については、何らの情報も格納されないことになる。ここでは、例えば、図１０の「データＩＤ」＝「ＩＤｄ３０１」に関連付けられているデータセット（コール既読者情報は除く）が格納されることになる。
【０１８４】
図２７のＳＪ３においてサーバ装置１の第１処理部１４１は、図２１のＳＦ３と同様にして、通知信号を送信し、端末装置３は、図２１のＳＦ３で説明した場合と同様な処理を行う。これにて、コール情報格納処理を終了する。
【０１８５】
（処理−電子カルテ側情報格納処理）
次に、電子カルテ側情報格納処理について説明する。図２８は、電子カルテ側情報格納処理のフローチャートであり、図２９は、表示入力画面の表示例である。「電子カルテ側情報格納処理」とは、概略的には、端末装置３及びサーバ装置１によって実行される処理であり、具体的には、「サーバ側履歴情報」に対応する情報を電子カルテシステム４のカルテ側看護履歴情報ＤＢ４３に格納する処理である。この電子カルテ側情報格納処理を実行するタイミングは任意であるが、例えば、前述の情報表示処理を実行することにより、図１９等に示すように、情報表示領域Ｇ２に各表示情報セットが表示された場合に実行されることとし、電子カルテ側情報格納処理が起動したところから説明する。
【０１８６】
図２８のＳＫ１において端末装置３の制御部３７は、タッチパッド３２を介して行われる、ユーザによる表示情報セットにおける「メッセージ表示情報」の選択が行われたか否かを判定する。具体的には任意であるが、例えば、制御部３７が、タッチパッド３２を監視して、ディスプレイ３３に表示されて表示情報セットにおける「メッセージ表示情報」に対応する位置の所定時間（例えば、１秒〜２秒等）以上のタップ操作を受け付けたか否かに基づいて判定する。そして、表示情報セットにおける「メッセージ表示情報」に対応する位置の所定時間以上のタップ操作を受け付けていない場合、ユーザによる表示情報セットにおける「メッセージ表示情報」の選択が行われていないものと判定し（ＳＫ１のＮＯ）、ユーザによる表示情報セットにおける「メッセージ表示情報」の選択が行われたものと判定するまで、繰り返しＳＫ１を実行する。また、表示情報セットにおける「メッセージ表示情報」に対応する位置の所定時間以上のタップ操作を受け付けた場合、ユーザによる表示情報セットにおける「メッセージ表示情報」の選択が行われたものと判定し（ＳＫ１のＹＥＳ）、ＳＫ２に移行する。
【０１８７】
ここでは、例えば、端末装置３０１のユーザが、タッチパッド３２を介して、図１９の表示情報セットＧ２０１のメッセージ表示情報Ｇ２４を所定時間以上タップした場合、ユーザによる表示情報セットにおける「メッセージ表示情報」の選択が行われたものと判定する。また、同様に、図２０の表示情報セットＧ２０３、Ｇ２０５等のメッセージ表示情報Ｇ２４を所定時間以上タップした場合も、ユーザによる表示情報セットにおける「メッセージ表示情報」の選択が行われたものと判定する。以下の説明では、このように、表示情報セットＧ２０１、Ｇ２０３、Ｇ２０５のメッセージ表示情報Ｇ２４をタップした場合を適宜例示しつつ説明する。
【０１８８】
図２８のＳＫ２において端末装置３の制御部３７は、制御ボタン表示画面を表示する。「制御ボタン表示画面」とは、表示入力画面にポップアップして表示される画面であり、端末装置３に対して制御命令を入力するための「はい」ボタン、及び「いいえ」ボタンが表示されている画面である。具体的には任意であるが、例えば、ＳＫ１で選択された表示情報セットの「メッセージ表示情報」の下方に制御ボタン表示画面をポップアップして表示する。
【０１８９】
ここでは、例えば、ユーザがＳＫ１で図１９の表示情報セットＧ２０１のメッセージ表示情報Ｇ２４をタップした場合、端末装置３０１の制御部３７は、図２９に示すように、表示情報セットＧ２０１のメッセージ表示情報Ｇ２４の下方に制御ボタン表示画面Ｇ５４をポップアップして表示する。なお、ユーザがＳＫ１で表示情報セットＧ２０３、Ｇ２０５のメッセージ表示情報Ｇ２４をタップした場合も同様にして、制御ボタン表示画面Ｇ５４をポップアップして表示する。
【０１９０】
図２８のＳＫ３において端末装置３の制御部３７は、ＳＫ１で選択された「メッセージ表示情報」に関連付けられている情報を電子カルテシステム４に格納するか否かを判定する。具体的には任意であるが、例えば、ＳＫ２で表示した制御ボタン表示画面における「はい」ボタン又は「いいえ」ボタンの何れを、タッチパッド３２を介してユーザがタップしたかに基づいて判定する。そして、ユーザが「いいえ」ボタンをタップした場合、制御部３７は、「いいえ」ボタンがタップされたことを示す情報を受け付け、ＳＫ１で選択されたメッセージ表示情報に関連付けられている情報を電子カルテシステム４に格納しないものと判定し（ＳＫ３のＮＯ）、処理を終了する。また、ユーザが「はい」ボタンをタップした場合、制御部３７は、「はい」ボタンがタップされたことを示す情報を受け付け、ＳＫ１で選択されたメッセージ表示情報に関連付けられている情報を電子カルテシステム４に格納するものと判定し（ＳＫ３のＹＥＳ）、ＳＫ４に移行する。
【０１９１】
ここでは、例えば、端末装置３０１のユーザが図２９の制御ボタン表示画面Ｇ５４の「はい」ボタンをタップした場合、端末装置３０１の制御部３７は、「はい」ボタンがタップされたことを示す情報を受け付け、ＳＫ１で選択されたメッセージ表示情報に関連付けられている情報を電子カルテシステム４に格納するものと判定する。
【０１９２】
図２８のＳＫ４において端末装置３の制御部３７は、端末側格納用信号を送信する。「端末側格納用信号」とは、電子カルテシステム４に格納する情報を指定するための信号である。具体的には任意であるが、まず、「端末側履歴ＤＢ」の「端末側履歴情報」において、ＳＫ１で選択された「メッセージ表示情報」に対応する情報を特定する。ここでの特定手法は任意であるが、例えば、表示入力画面に表示されている「メッセージ表示情報」と、当該メッセージ表示情報の基となっている「端末側履歴情報」の「データＩＤ」（つまり、図１２〜図１４のデータＩＤ）とが相互に関連付けられている（つまり、リンクされている）こととし、また、この関連付け（つまり、リンク）の情報が記録部３６に格納されており、当該情報が参照可能となっていることとし、この関連付けの情報に基づいて、ＳＫ１で選択されたメッセージ表示情報に関連付けられている「端末側履歴情報」のデータＩＤを特定する。次に、自己の記録部３６に格納されているユーザＩＤを取得し、当該取得したユーザＩＤ及び前述の特定したデータＩＤを含む端末側格納用信号を生成し、生成した端末側格納用信号を通信部３１を介してサーバ装置１に送信する。
【０１９３】
ここでは、例えば、端末装置３０１のユーザが、ＳＫ１で図１９の表示情報セットＧ２０１のメッセージ表示情報Ｇ２４を選択した場合、端末装置３０１の制御部３７は、ＳＫ１で選択されたメッセージ表示情報Ｇ２４に関連付けられている図１２の端末側看護履歴スタンプ情報の「データＩＤ」＝「ＩＤｄ１０１」を特定し、また、自己の記録部３６に格納されている「ユーザＩＤ」＝「ＩＤｕ２０１」を取得し、これらの「データＩＤ」＝「ＩＤｄ１０１」及び「ユーザＩＤ」＝「ＩＤｕ２０１」を含む端末側格納用信号（以下、「例示のスタンプ関連端末側格納用信号」とも称する）を生成して送信する。
【０１９４】
また、例えば、端末装置３０１のユーザが、ＳＫ１で図２０の表示情報セットＧ２０３のメッセージ表示情報Ｇ２４を選択した場合、端末装置３０１の制御部３７は、ＳＫ１で選択されたメッセージ表示情報Ｇ２４に関連付けられている図１３の端末側看護履歴画像情報の「データＩＤ」＝「ＩＤｄ２０１」を特定した上で、「データＩＤ」＝「ＩＤｄ２０１」及び「ユーザＩＤ」＝「ＩＤｕ２０１」を含む端末側格納用信号（以下、「例示の画像関連端末側格納用信号」とも称する）を生成して送信する。
【０１９５】
また、例えば、端末装置３０１のユーザが、ＳＫ１で図２０の表示情報セットＧ２０５のメッセージ表示情報Ｇ２４を選択した場合、端末装置３０１の制御部３７は、ＳＫ１で選択されたメッセージ表示情報Ｇ２４に関連付けられている図１４の端末側看護履歴コール情報の「データＩＤ」＝「ＩＤｄ３０１」を特定した上で、「データＩＤ」＝「ＩＤｄ３０１」及び「ユーザＩＤ」＝「ＩＤｕ２０１」を含む端末側格納用信号（以下、「例示のナースコール関連端末側格納用信号」とも称する）を生成して送信する。
【０１９６】
一方、図２８のＳＬ１においてサーバ装置１の制御部１４は、端末側格納用信号を受信する。具体的には任意であるが、例えば、ＳＫ４で送信された端末側格納用信号を通信部１１を介して受信する。ここでは、例えば、ＳＫ４で「例示のスタンプ関連端末側格納用信号」が送信された場合、ＳＬ１では当該「例示のスタンプ関連端末側格納用信号」を受信し、また、ＳＫ４で「例示の画像関連端末側格納用信号」が送信された場合、ＳＬ１では当該「例示の画像関連端末側格納用信号」を受信し、ＳＫ４で「例示のナースコール関連端末側格納用信号」が送信された場合、ＳＬ１では当該「例示のナースコール関連端末側格納用信号」を受信する。
【０１９７】
図２８のＳＬ２においてサーバ装置１の制御部１４は、電子カルテシステム４に格納する情報を特定する。具体的には任意であるが、例えば、ＳＬ１で受信した端末側格納用信号に含まれているデータＩＤを取得し、「サーバ側履歴ＤＢ」を参照して、取得したデータＩＤに関連付けられているデータセットが格納されている「サーバ側履歴ＤＢ」を特定する。
【０１９８】
ここでは、例えば、ＳＬ１で「例示のスタンプ関連端末側格納用信号」を受信した場合、「データＩＤ」＝「ＩＤｄ１０１」を取得し、「サーバ側履歴ＤＢ」＝「サーバ側看護履歴スタンプ情報ＤＢ１３５」を特定する。また、例えば、ＳＬ１で「例示の画像関連端末側格納用信号」を受信した場合、「データＩＤ」＝「ＩＤｄ２０１」を取得し、「サーバ側看護履歴画像情報ＤＢ１３６」を特定する。また、例えば、ＳＬ１で「例示のナースコール関連端末側格納用信号」を受信した場合、「データＩＤ」＝「ＩＤｄ３０１」を取得し、「サーバ側看護履歴コール情報ＤＢ１３７」を特定する。次に、特定した「サーバ側履歴ＤＢ」に基づいて、以下の第１〜第３特定処理を行う。
【０１９９】
なお、「第１特定処理」とは、図１２の端末側看護履歴スタンプ情報について、電子カルテシステム４に格納する情報を特定する処理であって、前述の特定した「サーバ側履歴ＤＢ」がサーバ側看護履歴スタンプ情報ＤＢ１３５である場合に実行される処理である。また、「第２特定処理」とは、図１３の端末側看護履歴画像情報について、電子カルテシステム４に格納する情報を特定する処理であって、前述の特定した「サーバ側履歴ＤＢ」がサーバ側看護履歴画像情報ＤＢ１３６である場合に実行される処理である。また、「第３特定処理」とは、図１４の端末側看護履歴コール情報について、電子カルテシステム４に格納する情報を特定する処理であって、前述の特定した「サーバ側履歴ＤＢ」がサーバ側看護履歴コール情報ＤＢ１３７である場合に実行される処理である。
【０２００】
＝＝＝第１特定処理＝＝＝
前述の特定した「サーバ側履歴ＤＢ」がサーバ側看護履歴スタンプ情報ＤＢ１３５である場合の第１特定処理については、サーバ装置１における制御部１４の第２処理部１４２は、まず、図８のサーバ側看護履歴スタンプ情報を参照して、ＳＬ１で受信した端末側格納用信号に含まれているデータＩＤに関連付けられている入力スタンプ画像特定情報を取得し、図７のサーバ側スタンプ情報のスタンプ画像特定情報及びスタンプ文字情報を参照して、前述の取得した入力スタンプ画像特定情報に関連付けられているスタンプ文字情報を特定する（以下、「第１特定処理の第１ステップ」と称する）。
【０２０１】
ここでは、例えば、ＳＬ１で「例示のスタンプ関連端末側格納用信号」を受信した場合、第２処理部１４２は、まず、図８のサーバ側看護履歴スタンプ情報を参照して、ＳＬ１で受信した「例示のスタンプ関連端末側格納用信号」に含まれている「データＩＤ」＝「ＩＤｄ１０１」に関連付けられている「入力スタンプ画像特定情報」＝「Ｆｓ００１」を取得し、図７のサーバ側スタンプ情報のスタンプ画像特定情報及びスタンプ文字情報を参照して、前述の取得した「入力スタンプ画像特定情報」＝「Ｆｓ００１」に関連付けられている「スタンプ文字情報」＝「体温測定」を特定する。
【０２０２】
次に、第２処理部１４２は、図８のサーバ側看護履歴スタンプ情報を参照して、前述のデータＩＤに関連付けられている入力数値情報を取得し、また、図７のサーバ側スタンプ情報のスタンプ画像特定情報及び数値意味情報を参照して、前述の「第１特定処理の第１ステップ」で取得した入力スタンプ画像特定情報に関連付けられている数値意味情報を特定し、前述の取得した入力数値情報及び特定した数値意味情報に基づいて、格納用数値情報を生成する（以下、「第１特定処理の第２ステップ」と称する）。なお、「格納用数値情報」とは、前述の取得した入力数値情報が特定する数値に対応する情報であって、前述の特定した数値意味情報が特定する意味に対応する形式の情報である。格納用数値情報の生成手法は任意であるが、例えば、特定した数値意味情報が「単位」を示している場合には、入力数値情報に対して数値意味情報を付加した情報を格納用数値情報として生成し、また、特定した数値意味情報が「程度」を示している場合には、入力数値情報に関連付けられた程度を示す情報を格納用数値情報として生成する。
【０２０３】
ここでは、例えば、図８のサーバ側看護履歴スタンプ情報を参照して、前述の「データＩＤ」＝「ＩＤｄ１０１」に関連付けられている「入力数値情報」＝「３６．６」を取得し、図７のサーバ側スタンプ情報のスタンプ画像特定情報及び数値意味情報を参照して、前述の「第１特定処理の第１ステップ」で取得した「入力スタンプ画像特定情報」＝「Ｆｓ００１」に関連付けられている「数値意味情報」＝「度」を特定し、前述の取得した「入力数値情報」＝「３６．６」及び特定した「数値意味情報」＝「度」に基づいて、格納用数値情報を生成する。ここでは、数値意味情報が「単位」を示しているので、「３６．６」に対して「度」を付加したテキスト情報である「３６．６度」を格納用数値情報として生成する。なお、ここでは具体的には例示していないが、例えば、「入力数値情報」＝「１」であり、「数値意味情報」＝「１：弱、２：中、３：強」（図７）である場合、数値意味情報が「程度」を示しているので、例えば、「弱」を格納用数値情報として生成することになる。
【０２０４】
次に、第２処理部１４２は、図８のサーバ側看護履歴スタンプ情報を参照して、前述のＳＬ１で受信した端末側格納用信号に含まれているデータＩＤに関連付けられている患者ＩＤ、スタンプ入力日時情報、及びスタンプ記録者情報を取得する（（以下、「第１特定処理の第３ステップ」と称する））。
【０２０５】
ここでは、例えば、図８のサーバ側看護履歴スタンプ情報を参照して、前述のＳＬ１で受信した「例示のスタンプ関連端末側格納用信号」に含まれている「データＩＤ」＝「ＩＤｄ１０１」に関連付けられている「患者ＩＤ」＝「ＩＤｐ００１」、「スタンプ入力日時情報」＝「０７２４１９００」、及び「スタンプ記録者情報」＝「ＩＤｕ２０１」を取得する。
【０２０６】
そして、前述の「第１特定処理の第１ステップ」で特定したスタンプ文字情報、前述の「第１特定処理の第２ステップ」で生成した格納用数値情報、及び前述の「第１特定処理の第３ステップ」で取得した患者ＩＤ、スタンプ入力日時情報、及びスタンプ記録者情報を、電子カルテシステム４に格納する情報として特定する。
【０２０７】
ここでは、例えば、前述の「第１特定処理の第１ステップ」で特定した「スタンプ文字情報」＝「体温測定」、前述の「第１特定処理の第２ステップ」で生成した「格納用数値情報」＝「３６．６度」、及び前述の「第１特定処理の第３ステップ」で取得した「患者ＩＤ」＝「ＩＤｐ００１」、「スタンプ入力日時情報」＝「０７２４１９００」、及び「スタンプ記録者情報」＝「ＩＤｕ２０１」を、電子カルテシステム４に格納する情報として特定する。
【０２０８】
＝＝＝第２特定処理＝＝＝
前述の特定した「サーバ側履歴ＤＢ」がサーバ側看護履歴画像情報ＤＢ１３６である場合の第２特定処理については、サーバ装置１における制御部１４の第３処理部１４３は、図９のサーバ側看護履歴画像情報を参照して、ＳＬ１で受信した端末側格納用信号に含まれているデータＩＤに関連付けられている患者ＩＤ、画像内容情報、画像入力日時情報、及び画像記録者情報を、電子カルテシステム４に格納する情報として特定する。
【０２０９】
ここでは、例えば、ＳＬ１で「例示の画像関連端末側格納用信号」を受信した場合、第３処理部１４３は、図９のサーバ側看護履歴画像情報を参照して、ＳＬ１で受信した「例示の画像関連端末側格納用信号」に含まれている「データＩＤ」＝「ＩＤｄ２０１」に関連付けられている「患者ＩＤ」＝「ＩＤｐ００１」、「画像内容情報」＝「尿量測定，１０」、「画像入力日時情報」＝「０７２５０９００」、及び「画像記録者情報」＝「ＩＤｕ２０１」を、電子カルテシステム４に格納する情報として特定する。なお、ＳＬ１で「例示の画像関連端末側格納用信号」に「画像内容情報」＝「Ｆｇ３０１」の如きファイル名が含まれている場合、サーバ側撮像画像ＤＢ１３８を参照して、当該ファイル名に合致する撮像画像を取得し、当該撮像画像も電子カルテシステム４に格納する情報として特定する。
【０２１０】
＝＝＝第３特定処理＝＝＝
前述の特定した「サーバ側履歴ＤＢ」がサーバ側看護履歴コール情報ＤＢ１３７である場合の第３特定処理については、サーバ装置１における制御部１４の第１処理部１４１は、図１０のサーバ側看護履歴コール情報を参照して、ＳＬ１で受信した端末側格納用信号に含まれているデータＩＤに関連付けられている患者ＩＤ、コール理由情報、応答日時情報、及び応答者情報を、電子カルテシステム４に格納する情報として特定する。
【０２１１】
ここでは、例えば、ＳＬ１で「例示のナースコール関連端末側格納用信号」を受信した場合、第１処理部１４１は、図１０のサーバ側看護履歴コール情報を参照して、ＳＬ１で受信した例示のナースコール関連端末側格納用信号に含まれている「データＩＤ」＝「ＩＤｄ３０１」に関連付けられている「患者ＩＤ」＝「ＩＤｐ００１」、「コール理由情報」＝「嘔吐」、「応答日時情報」＝「０７２５１１３０」、及び「応答者情報」＝「ＩＤｕ２０２」を、電子カルテシステム４に格納する情報として特定する。
【０２１２】
図２８のＳＬ３においてサーバ装置１の制御部１４は、サーバ側格納用信号を送信する。「サーバ側格納用信号」とは、電子カルテシステム４に格納する情報を送信するための信号であり、例えば、ＳＬ２で特定した情報を含む信号である。具体的には任意であるが、例えば、ＳＬ２で電子カルテシステム４に格納ものと特定した情報を含むサーバ側格納用信号を生成し、生成したサーバ側格納用信号を通信部１１を介して電子カルテシステム４に送信する。一方、電子カルテシステム４の制御部は、当該送信されたサーバ側格納用信号を自己の通信部を介して受信し、受信したサーバ側格納用信号に含まれている情報を取得し、取得した情報をカルテ側看護履歴情報ＤＢ４３に格納する。
【０２１３】
ここでは、例えば、ＳＬ１で「例示のスタンプ関連端末側格納用信号」を受信した場合、第２処理部１４２は、「第１特定処理」で特定した「スタンプ文字情報」＝「体温測定」、「格納用数値情報」＝「３６．６度」、「患者ＩＤ」＝「ＩＤｐ００１」、「スタンプ入力日時情報」＝「０７２４１９００」、及び「スタンプ記録者情報」＝「ＩＤｕ２０１」を含むサーバ側格納用信号（以下、「例示のスタンプ関連サーバ側格納用信号」とも称する）を生成して送信する。一方、電子カルテシステム４の制御部は、当該送信された「例示のスタンプ関連端末側格納用信号」を自己の通信部を介して受信し、受信した例示のスタンプ関連端末側格納用信号に含まれている「スタンプ文字情報」＝「体温測定」、「格納用数値情報」＝「３６．６度」、「患者ＩＤ」＝「ＩＤｐ００１」、「スタンプ入力日時情報」＝「０７２４１９００」、及び「スタンプ記録者情報」＝「ＩＤｕ２０１」を取得し、図１５の最上段に図示されているように、カルテ側看護履歴情報において、前述の取得した「患者ＩＤ」＝「ＩＤｐ００１」を図１５の「患者ＩＤ」に格納し、また、取得した「スタンプ文字情報」＝「体温測定」及び「格納用数値情報」＝「３６．６度」を図１５の「看護内容情報」に格納し、また、取得した「スタンプ入力日時情報」＝「０７２４１９００」を図１５の「看護日時情報」に格納し、また、取得した「スタンプ記録者情報」＝「ＩＤｕ２０１」を図１５の「記録者情報」に格納する。
【０２１４】
また、例えば、ＳＬ１で「例示の画像関連端末側格納用信号」を受信した場合、第３処理部１４３は、「第２特定処理」で特定した「患者ＩＤ」＝「ＩＤｐ００１」、「画像内容情報」＝「尿量測定，１０」、「画像入力日時情報」＝「０７２５０９００」、及び「画像記録者情報」＝「ＩＤｕ２０１」を含むサーバ側格納用信号（以下、「例示の画像関連サーバ側格納用信号」とも称する）を生成して送信する。一方、電子カルテシステム４の制御部は、当該送信された「例示の画像関連サーバ側格納用信号」を自己の通信部を介して受信し、受信した例示の画像関連サーバ側格納用信号に含まれている「患者ＩＤ」＝「ＩＤｐ００１」、「画像内容情報」＝「尿量測定，１０」、「画像入力日時情報」＝「０７２５０９００」、及び「画像記録者情報」＝「ＩＤｕ２０１」を取得し、図１５の上から５段目に図示されているように、カルテ側看護履歴情報において、前述の取得した「患者ＩＤ」＝「ＩＤｐ００１」を図１５の「患者ＩＤ」に格納し、また、取得した「画像内容情報」＝「尿量測定，１０」を図１５の「看護内容情報」に格納し、また、取得した「画像入力日時情報」＝「０７２５０９００」を図１５の「看護日時情報」に格納し、また、取得した「画像記録者情報」＝「ＩＤｕ２０１」を図１５の「記録者情報」に格納する。
【０２１５】
なお、前述したように、ＳＬ１で「例示の画像関連端末側格納用信号」に「画像内容情報」＝「Ｆｇ３０１」の如きファイル名が含まれている場合、第３処理部１４３は、当該ファイル名に合致する撮像画像も含む「例示の画像関連サーバ側格納用信号」を電子カルテシステム４に送信することになり、この場合、電子カルテシステム４の制御部は、当該送信された「例示の画像関連サーバ側格納用信号」に含まれている撮像画像を、電子カルテシステム４の不図示の撮像画像を格納するための撮像画像ＤＢに格納することとする。
【０２１６】
また、例えば、ＳＬ１で「例示のナースコール関連端末側格納用信号」を受信した場合、第１処理部１４１は、「第３特定処理」で特定した「患者ＩＤ」＝「ＩＤｐ００１」、「コール理由情報」＝「嘔吐」、「応答日時情報」＝「０７２５１１３０」、及び「応答者情報」＝「ＩＤｕ２０２」を含むサーバ側格納用信号（以下、「例示のナースコール関連サーバ側格納用信号」とも称する）を生成して送信する。一方、電子カルテシステム４の制御部は、当該送信された「例示のナースコール関連サーバ側格納用信号」を自己の通信部を介して受信し、受信した「例示のナースコール関連サーバ側格納用信号」に含まれている「患者ＩＤ」＝「ＩＤｐ００１」、「コール理由情報」＝「嘔吐」、「応答日時情報」＝「０７２５１１３０」、及び「応答者情報」＝「ＩＤｕ２０２」を取得し、図１５の上から７段目に図示されているように、カルテ側看護履歴情報において、前述の取得した「患者ＩＤ」＝「ＩＤｐ００１」を図１５の「患者ＩＤ」に格納し、また、「ナースコール」というテキスト情報及び取得した「コール理由情報」＝「嘔吐」を図１５の「看護内容情報」に格納し、また、取得した「応答日時情報」＝「０７２５１１３０」を図１５の「看護日時情報」に格納し、また、取得した「応答者情報」＝「ＩＤｕ２０２」を図１５の「応答者情報」に格納する。このように処理することにより、ナースコールに対する応答に関する情報を、電子カルテシステム４側で把握することが可能となる。特に、電子カルテシステム４側のユーザ情報ＤＢ４１及び患者情報ＤＢ４２の情報を参照することにより、図１５のカルテ側看護履歴情報における患者ＩＤに対応する患者、及び応答者情報が特定するユーザを把握することができるので、ナースコールに応答した医療従事者、当該ナースコールの理由、及びナースコールに応答した時間等を把握することが可能となる。
【０２１７】
図２８のＳＬ４においてサーバ装置１の制御部１４は、「サーバ側履歴ＤＢ」の「サーバ側履歴情報」の保存状態情報（具体的には、図８のスタンプ保存状態情報、図９の画像保存状態情報、及び図１０のコール保存状態情報）を格納する。具体的には任意であるが、例えば、ＳＬ１にて受信した端末側格納用信号に含まれているデータＩＤを取得し、また、サーバ装置１の不図示のタイマーの如き計時手段にアクセスして、で現在の日時を示す現在日時情報を特定した上で、「サーバ側履歴ＤＢ」の「サーバ側履歴情報」を参照して、当該取得したデータＩＤに関連付けられている保存状態情報として、「済」及び前述の現在日時特定情報を格納する。ここでは、例えば、ＳＬ１で「例示のスタンプ関連端末側格納用信号」を受信した場合において、現在の日時が７月２５日２０時００分である場合、「例示のスタンプ関連端末側格納用信号」に含まれている「データＩＤ」＝「ＩＤｄ１０１」を取得し、また、「現在日時情報」＝「０７２５２０００」を特定した上で、図８の「データＩＤ」＝「ＩＤｄ１０１」に関連付けられている「スタンプ保存状態情報」として「済（０７２５２０００）」を格納する。これにて、電子カルテ側情報格納処理を終了する。
【０２１８】
（各処理について）
そして、前述の各処理において、概略的には、スタンプ情報格納処理、画像情報格納処理、及びコール情報格納処理によって、図８〜図１０の「サーバ側履歴情報」（各既読者情報以外の情報）が格納されることになる。また、情報同期処理が、所定時間間隔（例えば、０．３秒〜１秒間隔等）に繰り返し実行されるので、これらの図８〜図１０の「サーバ側履歴情報」と同じ情報が、ほぼリアルタイムで、図１２〜図１４の「端末側履歴情報」として記録されることになる。よって、情報表示処理を実行した場合に、スタンプ情報格納処理及び画像情報格納処理でユーザが入力した情報に対応する情報が、端末装置３のディスプレイ３３の図１９及び図２０の各表示情報セットＧ２０１〜Ｇ２０５等の情報として表示されることになる。また、当該情報表示処理にて図８〜図１０の「サーバ側履歴情報」の各既読者情報が格納されることになるので、図１９及び図２０の既読表示情報Ｇが更新されることになる。また、電子カルテ側情報格納処理にて「サーバ側履歴情報」の各保存状態情報が更新されることになるので、図１９及び図２０の保存状態表示情報が更新されることになる。また、電子カルテ側情報格納処理を実行することにより、「サーバ側履歴情報」に対応する情報が、電子カルテシステム４のカルテ側看護履歴情報ＤＢ４３に格納されることになる。
【０２１９】
（カルテ側看護履歴情報の利用について）
また、前述の図２８の電子カルテ側情報格納処理で格納された図１５のカルテ側看護履歴情報については、任意に利用することができるが、例えば、電子カルテシステム４の不図示の制御部が、所定のタイミング（例えば、管理者側からのリクエストを受信したタイミング等）に、カルテ側看護履歴情報を管理者側の端末（例えば、ノートパソコン等）に対して送信して、当該端末のディスプレイに表示するようにしてもよい。なお、ここでの表示形式は任意であるが、例えば、電子カルテシステム４の制御部が、当該電子カルテシステム４のユーザ情報ＤＢ４１及び患者情報ＤＢ４２の各情報を参照して、図１５の患者ＩＤに対応する患者氏名情報、及び応答者情報又は記録者情報に対応するユーザ氏名情報と関連付けた情報で、看護内容情報、看護日時情報等を表示する形式を採用してもよい。
【０２２０】
（実施の形態の効果）
このように本実施の形態によれば、端末装置３がナースコール装置である子機２からの呼び出しを受け付けて応答した場合に、少なくとも応答した端末装置３を利用している支援者である医療従事者（ユーザ）を特定する情報（応答者情報）を格納することにより、例えば、医療従事者によるサービスに関する情報として、当該医療従事者を特定する情報を格納することが可能となる。
【０２２１】
また、端末装置３が子機２からの呼び出しを受け付けて応答した場合に、当該子機２からの呼び出しの内容を特定する情報（コール理由情報）を格納することにより、例えば、医療従事者によるサービスに関する情報として、子機２からの呼び出しの内容を特定する情報を格納することが可能となる。
【０２２２】
また、端末装置３が子機２からの呼び出しを受け付けて応答した場合に、端末装置３が子機２からの呼び出しに応答した時間（応答日時情報）を特定する情報を格納することにより、例えば、医療従事者によるサービスに関する情報として、呼び出しに応答した時間を特定する情報を格納することが可能となる。
【０２２３】
また、端末装置３が、子機２からの呼び出しを受け付けて応答した場合に、子機２からの呼び出しに応答したことを示す応答特定情報をサーバ装置１に送信することにより、例えば、既存のナースコール装置側の構成を変更する事無く、あるいは、比較的少ない変更のみで、医療従事者によるサービスに関する情報を格納することが可能となる。
【０２２４】
また、端末装置３が受け付けた内容特定画像であるスタンプ画像に対応する文字情報を特定し、特定した文字情報と、端末装置３が受け付けた数値情報が特定する数値に対応する情報を格納することにより、例えば、使い勝手の良い形式で情報を格納することが可能となる。
【０２２５】
また、端末装置３が受け付けたスタンプ画像に対応する数値意味情報を特定し、特定した数値意味情報が特定する意味に対応する形式で数値情報が特定する数値に対応する情報を格納することにより、例えば、更に使い勝手の良い形式で情報を格納することが可能となる。
【０２２６】
また、子機２からの呼び出しに対する応答を行ったことを示す画像（例えば、図２０の表示情報セットＧ２０５のメッセージ表示情報Ｇ２４）、及び受け付けたスタンプ画像及び数値情報を示す画像（例えば、図１９の表示情報セットＧ２０１、Ｇ２０２のメッセージ表示情報Ｇ２４）を表示することにより、例えば、呼び出しに対する応答の履歴、及び看護又は介護の履歴を医療従事者側に確認させることが可能となる。
【０２２７】
また、端末装置３が受け付けた撮像画像に基づいて、患者の看護又は介護に関する情報を特定し、特定した患者の看護又は介護に関する情報を格納することにより、例えば、使い勝手の良い形式で情報を格納することが可能となる。
【０２２８】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【０２２９】
（解決しようとする課題や発明の効果について）
まず、発明が解決しようとする課題や発明の効果は、上述の内容に限定されるものではなく、発明の実施環境や構成の詳細に応じて異なる可能性があり、上述した課題の一部のみを解決したり、上述した効果の一部のみを奏したりすることがある。
【０２３０】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。本出願における「システム」とは、複数の装置によって構成されたものに限定されず、単一の装置によって構成されたものを含む。また、本出願における「装置」とは、単一の装置によって構成されたものに限定されず、複数の装置によって構成されたものを含む。
【０２３１】
（応答日時情報について）
また、上記実施の形態の図１０の応答日時情報としては、図２７のＳＩ３にて特定した通話開始日時情報を格納する場合について例示したが、これに限らない。例えば、図２７のＳＩ３にてナースコールの通話を終了した通話終了日時情報を特定するように構成した上で、当該話終了日時情報を応答日時情報として格納するように構成してもよい。
【０２３２】
（電子カルテ側情報格納処理について）
また、上記実施の形態の図２８の電子カルテ側情報格納処理を任意に変更してもよい。例えば、上記実施の形態では、ＳＬ２の「第１特定処理」において、図８の入力数値情報については、格納用数値情報を生成して電子カルテシステム４に格納する場合について説明したが、これに限らず、入力数値情報自体を格納するように構成してもよい。
【０２３３】
（コール情報格納処理について）
また、上記実施の形態の図２７のコール情報格納処理を任意に変更してもよい。例えば、上記実施の形態では、ＳＩ２において、タッチパッド３２を介して行われる当該コール理由情報入力画面の入力欄へのユーザからの、患者がナースコールを行った理由を示すテキスト情報の入力を受け付ける場合について説明したが、これに限らない。例えば、ナースコールシステムの子機２に対して、呼び出しボタンとして、ナースコールの理由付きの呼び出しボタン（介助用の呼び出しボタン、トイレ用（トイレに行きたいことを示す）の呼び出しボタン等）を設けて、子機２が患者に押下されたボタンに対応する理由を示す理由情報を子機ＩＤと共に含む呼出信号を送信するように構成し、ＳＩ２において端末装置３の制御部３７は、端末装置３が受信した呼出信号に含まれている理由情報を、コール理由情報として受け付けるように構成してもよい。
【０２３４】
（電子カルテ側情報格納処理について）
また、図２８の電子カルテ側情報格納処理については、図２９のメッセージ表示情報Ｇ２４をユーザがタップすることにより、当該タップしたメッセージ表示情報Ｇ２４に対応する情報をカルテ側看護履歴情報ＤＢ４３に格納する場合について説明したが、これに限らない。例えば、サーバ装置１の制御部１４が、「サーバ側履歴ＤＢ」の「サーバ側履歴情報」を定期的に電子カルテシステム４側に送信してカルテ側看護履歴情報ＤＢ４３に格納するように構成することにより、ユーザによるタップ操作に関わらず、自動的に「サーバ側履歴情報」を格納するように構成してもよい。
【０２３５】
（警報部について（その１））
また、上記実施の形態のサーバ装置１の制御部１４に、警報部を設けてもよい。「警報部」とは、格納されている「サーバ側履歴情報」に対応する情報を、所定時間以内に表示していない端末装置３に対して「サーバ側履歴情報」に対応する情報を表示することを促すための警報を行う警報手段である。「警報部」の実装手法は任意であるが、例えば、図８〜図１０の「サーバ側履歴情報」において、各データＩＤに関連付けらているデータセットにおいて以下の処理を行う。具体的には、１つのデータＩＤに関連付けらているデータセットにおいて、患者ＩＤを取得し、図６のグループＩＤを参照して、当該取得した患者ＩＤに関連付けられているユーザＩＤを特定し、図８〜図１０の「サーバ側履歴情報」の既読者情報を参照して、前述の特定したユーザＩＤの内の、当該参照した既読者情報に格納されていないユーザＩＤを特定し、特定したユーザＩＤ及び前述の患者ＩＤを含む警報信号を端末装置３に送信する。一方、端末装置３の制御部３７は、警報信号を受信した場合に、受信した警報信号のユーザＩＤを取得し、取得したユーザＩＤと自己の記録部３６に記録されているユーザＩＤとが相互に一致している場合にのみ、図５の患者情報を参照して、警報信号の患者ＩＤに関連付けられている患者氏名情報を取得し、取得した患者氏名情報と共に所定のメッセージ（例えば、「未確認の看護情報があります。確認して下さい。」等の警報メッセージ）を、ディスプレイ３３に表示したり、スピーカから音声出力したりすることにより警報してもよい。
【０２３６】
（警報部について（その２））
また、前述の「（警報部について（その１））」を任意に変更してもよい。例えば、サーバ装置１の警報部が、１つのデータＩＤに関連付けられているデータセットにおいて、患者ＩＤを取得し、図６のグループＩＤを参照して、当該取得した患者ＩＤに関連付けられている責任者情報を特定し、図８〜図１０の「サーバ側履歴情報」の既読者情報を参照して、前述の特定した責任者情報が、当該参照した既読者情報として格納されていない場合、当該責任者情報が特定する特定したユーザＩＤ及び前述の患者ＩＤを含む警報信号を端末装置３に送信するように構成してもよい。このように構成することにより、責任者である例えば医師のみに対して、情報を確認することを促すことが可能となる。
【０２３７】
（警報部について（その３））
また、前述の「（警報部について（その１））」又は「（警報部について（その２））」を任意に変更してもよい。例えば、サーバ装置１の警報部が、現在日時情報を特定し、図８〜図１０の「サーバ側履歴情報」の各入力日時情報を参照して、前述の特定した現在の日時から所定時間（例えば、４時間〜５時間等）以上過去の入力日時情報と関連付けられているデータＩＤに関連付けられているデータセットを特定し、当該特定したデータセットに関して、前述の「（警報部について（その１））」又は「（警報部について（その２））」を行うように構成してもよい。このように構成した場合、情報が入力されてから所定時間以上、当該入力された情報に対応する情報の確認が行われていない場合に、情報を確認することを促すことが可能となる。
【０２３８】
（予測）
また、上記実施の形態の図２４のＳＨ４において、差分の演算結果と共に又は差分の演算の代わりに予測を行うように構成してもよい。ここでの予測手法は任意であるが、例えば、ＳＨ３で判定のために取得した画像内容情報の内の「点滴量測定」を含む画像内容情報において、最も直近の画像入力日時情報に関連付けられている画像内容情報を特定し、特定した画像内容情報が示す薬液の量（以下、「第１量」）と、ＳＨ２で特定した薬液の量（以下、「第２量」）と、前述の最も直近の画像入力日時情報が特定する日時（以下、「第１日時」）と、サーバ装置１の計時手段が計時する現在の日時（以下、「第２日時」）とに基づいて、薬液が無くなるまでの残り時間又は薬液が無くなる日時を予測してもよい。
【０２３９】
ここでは、例えば、第１日時における薬液の量が第１量であり、第２日時における薬液の量が第２量であることとして、点滴の薬液は一定速度で減少する等を前提とし、薬液が無くなるまでの残り時間又は薬液が無くなる日時を予測してもよい。そして、この予測した残り時間又は日時については、図９の画像内容情報として格納してもよい。あるいは、第３処理部１４３は、画像情報格納処理とは別の処理として、この図９に格納された薬液が無くなる日時（つまり、予測された日時）よりも所定時間前（例えば、１０分前又は１５分前等）に、点滴の対象となっている患者を担当するユーザの端末装置３に対して点滴の終了が近いことを示す警報情報（メッセージ等）を送信するように構成し、当該端末装置３にて当該警報情報（メッセージ等）を表示するように構成してもよい。
【０２４０】
（ＷＥＢアプリケーションの技術の適用について）
また、上記実施の形態の医療システム１００で実施される処理を、いわゆるＷＥＢアプリケーションの技術を用いて実現してもよく、この場合、サーバ装置１が端末装置３からのリクエストに基づいて各画面情報を生成して当該端末装置３に送信し、当該各画面を端末装置３のディスプレイ３３に表示したり、あるいは、当該サーバ装置１が端末装置３からのリクエストに基づいて任意の処理又は制御を行うように構成してもよい。
【０２４１】
（ナースコールシステムについて（その１））
また、上記実施の形態のナースコールシステムを、以下のように構成してもよい。具体的には、例えば、子機患者対応情報ＤＢ２２１をナースコール側サーバ装置（ナースコール制御装置２００とは別の装置であって、少なくとも当該ナースコール制御装置２００との間で通信可能な装置）に設けて、ナースコール制御装置２００が、当該ナースコール側サーバ装置との間で適宜の通信を行って処理するように構成してもよい。この場合、ナースコール側サーバ装置について、電子カルテシステム４との間で通信可能となるように構成した上で、電子カルテシステム４の制御部が、電子カルテシステム４側で不図示の入力装置を介して行われるユーザからの入力等に基づいて生成された子機患者対応情報を、ナースコール側サーバ装置に送信した場合に、当該ナースコール側サーバ装置が、当該送信された子機患者対応情報を自己の子機患者対応情報ＤＢ２２１に格納するように構成してもよい。このように構成することにより、子機患者対応情報を、電子カルテシステム４側とナースコール側サーバ装置側とで相互に連携させることが可能となる。そして、ナースコール制御装置２００については、子機２からの呼出信号を受信した場合に、以下の処理を行うように構成してもよい。
【０２４２】
具体的には、ナースコール制御装置２００の制御部２３が、子機２から送信された呼出信号を受信し、受信した呼出信号に含まれている子機ＩＤを取得し、ナースコール側サーバ装置の子機患者対応情報ＤＢ２２１の子機患者対応情報を参照して、前述の取得した子機ＩＤに関連付けられている患者ＩＤ、患者氏名情報、病名情報、部屋名情報、及びベッド情報を特定し、特定したこれらの情報を、前述の受信した呼出信号に含まれる情報として付加し、当該情報が付加された呼出信号（つまり、子機ＩＤ、患者ＩＤ、患者氏名情報、病名情報、部屋名情報、及びベッド情報を含む信号）を、通信部２１を介して全ての端末装置３に対して送信するように構成してもよい。なお、当該呼出信号を受信した端末装置３側の動作については、実施の形態の動作と同様としてもよい。
【０２４３】
（ナースコールシステムについて（その２））
また、上記実施の形態の図２７のコール情報格納処理の起動時において、ナースコール制御装置２００が、呼出信号（つまり、患者氏名情報、病名情報、部屋名情報、及びベッド情報を含む信号）を端末装置３に送信し、端末装置３側では当該呼出信号に含まれている患者の情報をディスプレイ３３を介して出力する（つまり、表示する）ことにより、子機２からの呼び出しがあることを、端末装置３のユーザに報知する場合について説明したが、これに限らない。例えば、前述の「（ナースコールシステムについて（その１））
」で説明したように構成し、また、例えば、図１１の子機患者対応情報における各子機ＩＤ単位で患者氏名情報、病名情報、部屋名情報、及びベッド情報を表示する画像（以下、患者表示画像）が、ナースコール側サーバ装置のＤＢに記録されており、また、子機ＩＤと、当該患者表示画像が格納されているナースコール側サーバ装置のＤＢ上の場所を特定する場所情報（一例としては、当該画像に各々にアクセスするためのＵＲＬ（Ｕｎｉｆｏｒｍ  Ｒｅｓｏｕｒｃｅ  Ｌｏｃａｔｏｒ））とが相互に関連付けられている場所特定用情報が、ナースコール側サーバ装置のＤＢに格納されていることとする。
【０２４４】
そして、ナースコール制御装置２００の制御部２３が、子機２から送信された呼出信号を受信し、受信した呼出信号に含まれている子機ＩＤを取得し、ナースコール側サーバ装置の子機患者対応情報ＤＢ２２１の子機患者対応情報を参照して、前述の取得した子機ＩＤに関連付けられている患者ＩＤ、患者氏名情報、病名情報、部屋名情報、及びベッド情報を特定し、また、ナースコール側サーバ装置のＤＢの場所特定用情報を参照して、前述の取得した子機ＩＤに関連付けられている場所情報（つまり、ＵＲＬ）を特定し、前述の特定した各情報を呼出信号に付加し、当該情報が付加された呼出信号（つまり、子機ＩＤ、患者ＩＤ、患者氏名情報、病名情報、部屋名情報、ベッド情報、及びＵＲＬを示す情報を含む信号）を、通信部２１を介して全ての端末装置３に対して送信するように構成してもよい。
【０２４５】
次に、端末装置３の第１処理部１４１は、ナースコール制御装置２００から送信された呼出信号を通信部３１を介して受信した場合に、受信した呼出信号に含まれている情報が示すＵＲＬを、自己のディスプレイ３３に表示した上で、実施の形態の場合と同様にして、コール情報格納処理が起動されることとしてもよい。なお、この場合、端末装置３の第１処理部１４１は、ディスプレイ３３に表示されているＵＲＬに対する、タッチパッド３２を介するユーザからのタップ操作を受け付けた場合、当該タップされたＵＲＬに基づいてナースコール側サーバ装置にアクセスし、ナースコール側サーバ装置のＤＢにおける前述のタップされたＵＲＬが示す場所に格納されている患者表示画像を取得し、取得した患者表表示画像（つまり、患者氏名情報、病名情報、部屋名情報、及びベッド情報を表示する画像）を端末装置３のディスプレイ３３に表示するように構成してもよい。
【０２４６】
（カルテ側看護履歴情報を利用するための処理について（その１））
また、上記実施の形態の図２８の電子カルテ側情報格納処理で格納された図１５のカルテ側看護履歴情報を利用するために任意の処理を行うように構成してもよい。具体的には、例えば、図１の端末装置３及び電子カルテシステム４とを相互に通信可能となるように構成した上で、医療従事者であるユーザからのタッチパッド３２を介して行われる所定操作（具体的には、カルテ側看護履歴情報を閲覧するための操作）が端末装置３に入力された場合に、端末装置３の制御部３７が、通信部３１を介して電子カルテシステム４に対して、カルテ側看護履歴情報を閲覧することを要求するリクエスト信号を送信する。
【０２４７】
一方、電子カルテシステム４の制御部は、端末装置３からのリクエスト信号を受信した場合に、カルテ側看護履歴情報ＤＢ４３を参照して、図１５のカルテ側看護履歴情報を取得し、ユーザ情報ＤＢ４１及び患者情報ＤＢ４２に格納されているユーザ情報及び患者情報を参照して、前述の取得した図１５のカルテ側看護履歴情報において、「患者ＩＤ」を患者情報ＤＢ４２の患者情報（図５）にて当該「患者ＩＤ」に関連付けられている「患者氏名情報」に変換し、また、「応答者情報」及び「記録者情報」として記録されているユーザＩＤをユーザ情報ＤＢ４１のユーザ情報（図４）にて当該ユーザＩＤに関連付けられている「ユーザ氏名情報」に変換した上で、図１５のカルテ側看護履歴情報（詳細には、「患者ＩＤ」については「患者氏名情報」に変換されており、「応答者情報」及び「記録者情報」については「ユーザ氏名情報」に変換されている情報）を表示する画面（以下、「カルテ側看護履歴情報表示画面」とも称する）を生成し、生成した「カルテ側看護履歴情報表示画面」を示す情報を含むレスポンス信号（前述のリクエスト信号に対して応答する信号）を、自己の通信部を介して前述のリクエスト信号を送信した端末装置３に対して送信する。
【０２４８】
一方、前述のリクエスト信号を送信した端末装置３の制御部３７は、通信部３１を介して電子カルテシステム４からのレスポンス信号を受信し、受信したレスポンス信号に含まれている「カルテ側看護履歴情報表示画面」を示す情報を取得し、取得した情報に基づいて、ディスプレイ３３に「カルテ側看護履歴情報表示画面」を表示する。このように構成することにより、端末装置３側で、図１５のカルテ側看護履歴情報に対応する情報を閲覧することができ、例えば、図１５の７段目の情報に対応する情報を閲覧することにより、「ＩＤｐ００１」が示す患者である「ＤＤＤ１」からのナースコールに対して、７月２５日１１時３０分に、「ＩＤｕ２０２」が示すユーザ（看護師）である「ＢＢＢ２」が応答し、このナースコールの内容が「嘔吐」に関するものであったこと等を閲覧することが可能となる。
【０２４９】
（カルテ側看護履歴情報を利用するための処理について（その２））
また、上述の「（カルテ側看護履歴情報を利用するための処理について（その１））」で説明した内容を任意に変更してもよい。具体的には、端末装置３以外の任意の端末（例えば、パーソナルコンピュータ）等と電子カルテシステム４とを通信可能に接続した上で、当該任意の端末側で図１５のカルテ側看護履歴情報を閲覧できるように構成してもよい。また、図１５のカルテ側側看護履歴情報の一部の情報をのみを閲覧できるように構成してもよい。具体的には任意であるが、例えば、端末装置３側で指定された患者ＩＤ又は患者氏名情報の患者に関連する情報のみを閲覧できるように構成したり、あるいは、端末装置３側で指定された看護日時情報の情報のみを閲覧できるように構成したりしてもよい。また、端末装置３と電子カルテシステム４との間の通信が、サーバ装置１を介して行われる構成してもよい。
【０２５０】
（各画面の表示について）
また、上記実施の形態の端末装置３の各画面の表示（例えば、図１９及び図２０の表示等）は、表示の一例を例示したものであり、この一例に限定されるものではない。例えば、図１９及び図２０の表示情報セットＧ２０１〜Ｇ２０５に含まれている少なくとも１個以上の情報を他の表示形式で表示するように構成してもよい。なお、他の表示形式は任意であるが、例えば、文字及び数字等のテキスト情報のみで一覧表示する形式で表示してもよいし、あるいは、この表示形式以外の公知の表示形式であってもよい。また、例えば、表示情報セットＧ２０１〜Ｇ２０５の内のナースコールに関連する情報のみを、文字及び数字等のテキスト情報で一覧表示してもよいし、あるいは、いわゆる携帯電話の通話履歴と同様な形式で表示してもよい。また、例えば、表示情報セットＧ２０１〜Ｇ２０５の内の全ての情報を、文字及び数字等のテキスト情報で一覧表示してもよいし、あるいは、いわゆる携帯電話の通話履歴と同様な形式で表示してもよい。特に、テキスト情報で表示する場合、図１９のスタンプ画像Ｇ４１については、図２８のＳＬ２で説明した「第１特定処理」と同様な処理を行うことにより、テキスト情報に変換した上で、表示するように構成してもよい。また、端末装置３として、スマートフォン以外の装置（例えば、携帯電話、タブレット端末、又はパーソナルコンピュータ等）を利用した場合についても、上述の場合と、同様に構成してもよい。
【０２５１】
（格納装置について）
また、上記実施の形態では、格納装置がカルテ側看護履歴情報ＤＢ４３の１個のみである場合について説明したが、これに限らない。例えば、複数個の格納装置の内のユーザに選択された１個の格納装置に対して、カルテ側看護履歴情報に対応する情報を格納するように構成してもよい。具体的な実装手法は任意であるが、例えば、格納装置を複数個設けた上で、図２８のＳＫ１にて図２９のメッセージ表示情報Ｇ２４をユーザがタップした場合に、端末装置３の制御部３７が、ＳＫ２にて前述の複数個の格納装置の内の１個を選択させるための選択画面をディスプレイ３３に表示し、当該選択画面でユーザが１個の格納装置を選択する操作を行った場合、ＳＫ３をスキップして、ＳＫ４にて端末側格納用信号に当該選択された格納装置を示す格納装置特定情報も含めてサーバ装置１に送信する。一方、サーバ装置１の制御部１４は、実施の形態で説明した場合と同様にしてＳＬ１、ＳＬ２の処理を行った後のＳＬ３において、前述の端末側格納用信号に含まれている格納装置特定情報が示す１個の格納装置に対して、サーバ側格納用信号を送信することにより、ユーザによって選択された１個の格納装置に対してカルテ側看護履歴情報に対応する情報を格納するようように構成してもよい。なお、ここでの複数の格納装置としては、電子カルテシステム４内の複数のＤＢであることとしてもよいし、あるいは、電子カルテシステム４内のＤＢと電子カルテシステム４外のＤＢであることとしてもよいし、又は、電子カルテシステム４外の複数のＤＢであることとしてもよい。
【０２５２】
（特徴について）
また、上記実施の形態の特徴及び変形例の特徴を任意に組合わせてもよい。
【０２５３】
（付記）
付記１の支援システムは、少なくとも患者又は被介護者を含む対象者を支援する支援者に利用される端末装置を備える支援システムであって、前記端末装置は、少なくとも前記対象者側のナースコール装置からの呼び出しを受け付け、前記支援システムは、前記端末装置が前記ナースコール装置からの呼び出しを受け付けて応答した場合に、少なくとも応答した前記端末装置を利用している前記支援者を特定する情報を、格納装置に格納する第１処理手段、を備える。
【０２５４】
付記２の支援システムは、付記１に記載の支援システムにおいて、前記第１処理手段は、前記端末装置が前記ナースコール装置からの呼び出しを受け付けて応答した場合に、当該ナースコール装置からの呼び出しの内容を特定する情報を、前記格納装置に格納する。
【０２５５】
付記３の支援システムは、付記１又は２に記載の支援システムにおいて、前記第１処理手段は、前記端末装置が前記ナースコール装置からの呼び出しを受け付けて応答した場合に、前記端末装置が前記ナースコール装置からの呼び出しに応答した時間を特定する情報を、前記格納装置に格納する。
【０２５６】
付記４の支援システムは、付記１から３の何れか一項に記載の支援システムにおいて、前記支援システムは、前記端末装置との間で通信可能となっているサーバ装置を備えており、前記サーバ装置は、前記第１処理手段を備えており、前記端末装置は、前記ナースコール装置からの呼び出しを受け付けて応答した場合に、前記ナースコール装置からの呼び出しに応答したことを示す応答特定情報であって、少なくとも前記支援者を特定する情報を含む前記応答特定情報を前記サーバ装置に送信し、前記第１処理手段は、前記端末装置から送信された前記応答特定情報を前記サーバ装置が受信した場合に、受信した前記応答特定情報に含まれる前記支援者を特定する情報を、前記端末装置を利用している前記支援者を特定する情報として前記格納装置に格納する。
【０２５７】
付記５の支援システムは、付記１から４の何れか一項に記載の支援システムにおいて、前記支援システムは、予め生成されている内容特定画像であって前記対象者の看護又は介護に関する内容を特定する前記内容特定画像と、前記内容特定画像が特定する内容を示す文字情報とが相互に関連付けられている情報である第１関連情報を格納している支援システム側格納手段、を備え、前記端末装置は、前記対象者に関する前記内容特定画像であって前記支援者によって入力される前記内容特定画像と、前記内容特定画像が特定する前記対象者の看護又は介護に関する内容に関連する数値を特定する数値情報であって前記支援者によって前記内容特定画像と共に入力される前記数値情報とを受け付け、前記支援システムは、前記支援システム側格納手段に格納されている前記第１関連情報に基づいて、前記端末装置が受け付けた前記内容特定画像に対応する前記文字情報を特定し、特定した前記文字情報と、前記端末装置が受け付けた前記数値情報が特定する数値に対応する情報とを、前記格納装置に格納する第２処理手段、を備える。
【０２５８】
付記６の支援システムは、付記５に記載の支援システムにおいて、前記支援システム側格納手段は、前記内容特定画像と、前記内容特定画像と共に入力される前記数値情報の意味を特定する数値意味情報とが相互に関連付けられている第２関連情報を格納しており、前記第２処理手段は、前記支援システム側格納手段に格納されている前記第２関連情報に基づいて、前記端末装置が受け付けた前記内容特定画像に対応する前記数値意味情報を特定し、特定した前記数値意味情報が特定する意味に対応する形式で前記数値情報が特定する数値に対応する情報を、前記格納装置に格納する。
【０２５９】
付記７の支援システムは、付記５又は６に記載の支援システムにおいて、前記端末装置は、情報を表示する表示手段、を備え、前記端末装置は、前記ナースコール装置からの呼び出しに対する応答、及び前記内容特定画像及び前記数値情報の受付を順次行った場合、前記ナースコール装置からの呼び出しに対する応答を行ったことを示す画像、及び受け付けた前記内容特定画像及び前記数値情報を示す画像を、前記ナースコール装置からの呼び出しに対して応答した時間、及び前記内容特定画像及び前記数値情報を受け付けた時間に対応する順序で、前記表示手段に表示する。
【０２６０】
付記８の支援システムは、付記１から７の何れか一項に記載の支援システムにおいて、前記端末装置は、前記対象者に関する撮像対象を撮像した撮像画像を受け付け、前記支援システムは、前記端末装置が受け付けた前記撮像画像に基づいて、前記患者の看護又は介護に関する情報を特定し、特定した前記患者の看護又は介護に関する情報を、前記格納装置に格納する第３処理手段、を備える。
【０２６１】
付記９の支援システムは、付記１から８の何れか一項に記載の支援システムにおいて、前記支援者は、医療従事者であり、前記格納装置は、少なくとも電子カルテシステムの格納装置を含む。
【０２６２】
付記１０に記載の支援プログラムは、少なくとも患者又は被介護者を含む対象者を支援する支援者に利用される端末装置であって、少なくとも前記対象者側のナースコール装置からの呼び出しを受け付ける前記端末装置を備える支援システムを、前記端末装置が前記ナースコール装置からの呼び出しを受け付けて応答した場合に、少なくとも応答した前記端末装置を利用している前記支援者を特定する情報を、格納装置に格納する第１処理手段、として機能させる。
【０２６３】
（付記の効果）
付記１に記載の支援システム、及び付記１０に記載の支援プログラムによれば、端末装置がナースコール装置からの呼び出しを受け付けて応答した場合に、少なくとも応答した端末装置を利用している支援者を特定する情報を格納することにより、例えば、支援者によるサービスに関する情報として、当該支援者を特定する情報を格納することが可能となる。
【０２６４】
付記２に記載の支援システムによれば、端末装置がナースコール装置からの呼び出しを受け付けて応答した場合に、当該ナースコール装置からの呼び出しの内容を特定する情報を格納することにより、例えば、支援者によるサービスに関する情報として、ナースコール装置からの呼び出しの内容を特定する情報を格納することが可能となる。
【０２６５】
付記３に記載の支援システムによれば、端末装置がナースコール装置からの呼び出しを受け付けて応答した場合に、端末装置がナースコール装置からの呼び出しに応答した時間を特定する情報を格納することにより、例えば、支援者によるサービスに関する情報として、呼び出しに応答した時間を特定する情報を格納することが可能となる。
【０２６６】
付記４に記載の支援システムによれば、端末装置が、ナースコール装置からの呼び出しを受け付けて応答した場合に、ナースコール装置からの呼び出しに応答したことを示す応答特定情報をサーバ装置に送信することにより、例えば、既存のナースコール装置側の構成を変更する事無く、あるいは、比較的少ない変更のみで、支援者によるサービスに関する情報を格納することが可能となる。
【０２６７】
付記５に記載の支援システムによれば、端末装置が受け付けた内容特定画像に対応する文字情報を特定し、特定した文字情報と、端末装置が受け付けた数値情報が特定する数値に対応する情報を格納することにより、例えば、使い勝手の良い形式で情報を格納することが可能となる。
【０２６８】
付記６に記載の支援システムによれば、端末装置が受け付けた内容特定画像に対応する数値意味情報を特定し、特定した数値意味情報が特定する意味に対応する形式で数値情報が特定する数値に対応する情報を格納することにより、例えば、更に使い勝手の良い形式で情報を格納することが可能となる。
【０２６９】
付記７に記載の支援システムによれば、ナースコール装置からの呼び出しに対する応答を行ったことを示す画像、及び受け付けた内容特定画像及び数値情報を示す画像を表示することにより、例えば、呼び出しに対する応答の履歴、及び看護又は介護の履歴を支援者側に確認させることが可能となる。
【０２７０】
付記８に記載の支援システムによれば、端末装置が受け付けた撮像画像に基づいて、患者の看護又は介護に関する情報を特定し、特定した患者の看護又は介護に関する情報を格納することにより、例えば、使い勝手の良い形式で情報を格納することが可能となる。
【０２７１】
付記９に記載の支援システムによれば、支援者は医療従事者であり、格納装置は少なくとも電子カルテシステムの格納装置であることにより、例えば、医療従事者によるサービスに関する情報を電子カルテシステム側に格納することが可能となる。
【符号の説明】
【０２７２】
１  サーバ装置
２  子機
３  端末装置
４  電子カルテシステム 
１１  通信部
１２  入力部
１３  記録部
１４  制御部
２１  通信部
２２  記録部
２３  制御部
３１  通信部
３２  タッチパッド
３３  ディスプレイ
３４  通話部
３５  撮像部
３６  記録部
３７  制御部
４１  ユーザ情報ＤＢ
４２  患者情報ＤＢ
４３  カルテ側看護履歴情報ＤＢ
１００  医療システム
１３０  スタンプ画像ＤＢ
１３１  ユーザ情報ＤＢ
１３２  患者情報ＤＢ
１３３  グループ情報ＤＢ
１３４  サーバ側スタンプ情報ＤＢ
１３５  サーバ側看護履歴スタンプ情報ＤＢ
１３６  サーバ側看護履歴画像情報ＤＢ
１３７  サーバ側看護履歴コール情報ＤＢ
１３８  サーバ側撮像画像ＤＢ
１４１  第１処理部
１４２  第２処理部
１４３  第３処理部
２２１  子機患者対応情報ＤＢ
２００  ナースコール制御装置
２０１  子機
２０２  子機
３０１  端末装置
３６０  スタンプ画像ＤＢ
３６１  ユーザ情報ＤＢ
３６２  患者情報ＤＢ
３６３  グループ情報ＤＢ
３６４  端末側看護履歴スタンプ情報ＤＢ
３６５  端末側看護履歴画像情報ＤＢ
３６６  端末側看護履歴コール情報ＤＢ
３６７  端末側撮像画像ＤＢ
３０２  端末装置
３０３  端末装置
Ｇ１  選択ボタン画像
Ｇ２  情報表示領域
Ｇ２１  日時表示情報
Ｇ２２  既読表示情報
Ｇ２３  保存状態表示情報
Ｇ２４  メッセージ表示情報
Ｇ３１  カメラ起動ボタン
Ｇ３２  スタンプ等入力ボタン
Ｇ３３  撮像ボタン
Ｇ４１  スタンプ画像
Ｇ４２  スタンプ画像
Ｇ５０  撮像画像
Ｇ５１  特定結果表示領域
Ｇ５２  制御ボタン表示領域
Ｇ５４  制御ボタン表示画面
Ｇ２０１  表示情報セット
Ｇ２０２  表示情報セット
Ｇ２０３  表示情報セット
Ｇ２０４  表示情報セット
Ｇ２０５  表示情報セット
【図１】
0006875024.tif 000002
【図２】
0006875024.tif 000003
【図３】
0006875024.tif 000004
【図４】
0006875024.tif 000005
【図５】
0006875024.tif 000006
【図６】
0006875024.tif 000007
【図７】
0006875024.tif 000008
【図８】
0006875024.tif 000009
【図９】
0006875024.tif 000010
【図１０】
0006875024.tif 000011
【図１１】
0006875024.tif 000012
【図１２】
0006875024.tif 000013
【図１３】
0006875024.tif 000014
【図１４】
0006875024.tif 000015
【図１５】
0006875024.tif 000016
【図１６】
0006875024.tif 000017
【図１７】
0006875024.tif 000018
【図１８】
0006875024.tif 000019
【図１９】
0006875024.tif 000020
【図２０】
0006875024.tif 000021
【図２１】
0006875024.tif 000022
【図２２】
0006875024.tif 000023
【図２３】
0006875024.tif 000024
【図２４】
0006875024.tif 000025
【図２５】
0006875024.tif 000026
【図２６】
0006875024.tif 000027
【図２７】
0006875024.tif 000028
【図２８】
0006875024.tif 000029
【図２９】
0006875024.tif 000030